(57)【要約】  本開示は、種々の空気処理装置の運行モードを協調させて、さらに良い管理効果を取得することができる空気品質管理システム及び方法を提供する。空気品質管理システムは、制御手段と、互いに関連付けられた複数の空気処理装置とを備え、制御手段は、複数の空気処理装置のそれぞれに接続され、複数の空気処理装置のうちの１つの空気処理装置が運行優先度を有するように設定するためのものであり、制御手段は、使用者パラメータ、空気品質パラメータ、および、空気処理装置の運行パラメータのうちの少なくとも１つを収集する情報収集モジュールを備え、制御手段は、情報収集モジュールにより収集された情報を処理し、処理結果を取得し、制御手段は、処理結果に基づき、空気処理装置の運行優先度を設定し、運行優先度を有する空気処理装置は、処理結果に基づき、自身の運転状態を調節し、同時に、運行優先度を有する空気処理装置は、処理結果に基づき、システムにおける残りの空気処理装置の運転状態を調節する。
2019131775.tif 000002
【特許請求の範囲】
【請求項１】
互いに関連付けられた複数の空気処理装置と、
前記複数の空気処理装置のそれぞれに接続され、前記複数の空気処理装置のうちの１つの空気処理装置が運行優先度を有するように設定するための制御手段と、
を備え、
前記制御手段は、使用者パラメータ、空気品質パラメータ、および、前記空気処理装置の運行パラメータのうちの少なくとも１つを収集する情報収集モジュールを備え、
前記制御手段は、前記情報収集モジュールにより収集された情報を処理し、処理結果を取得し、
前記制御手段は、前記処理結果に基づき、前記空気処理装置の運行優先度を設定し、
運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節する、
ことを特徴とする、
空気品質管理システム。
【請求項２】
前記使用者パラメータは、使用者所在領域、使用者生体パラメータ、および、使用者活動状態のうちの１つ以上を含む、
ことを特徴とする、
請求項１に記載の空気品質管理システム。
【請求項３】
前記空気品質パラメータは、空気温度パラメータ、空気清浄度パラメータ、及び、空気湿度パラメータのうちの少なくとも１つを含む、
ことを特徴とする、
請求項１に記載の空気品質管理システム。
【請求項４】
前記制御手段は、前記情報収集モジュールにより収集された情報を処理して、処理結果を取得する情報処理モジュールを備える、
ことを特徴とする、
請求項1に記載の空気品質管理システム。
【請求項５】
前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファンのうちの１つであり、前記空気品質パラメータは、空気温度パラメータ、および、空気清浄度パラメータを含み、
前記制御手段は、前記空気品質パラメータを処理し、
前記処理結果から、室内の空気温度パラメータが所定の範囲外となり、かつ、前記室内の空気清浄度パラメータが所定の範囲内となることが示された場合に、前記第１種の空気処理装置は、運行優先度を有するように設定されており、前記空調機は、前記処理結果に基づき、前記フレッシュエアー装置、空気清浄機、換気ファンのうちの１つの運転状態を調節する、
ことを特徴とする、
請求項１または４に記載の空気品質管理システム。
【請求項６】
前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファン、加湿/除湿機のうちの１つであり、
前記空気品質パラメータは、空気温度パラメータ、空気清浄度パラメータ、および、空気湿度パラメータを含み、
前記制御手段は、前記空気品質パラメータを処理し、
前記処理結果から、室内の空気温度パラメータが所定の範囲外となり、前記室内の空気清浄度パラメータが所定の範囲内となり、かつ、前記室内の空気湿度パラメータが所定の範囲内となることが示された場合に、前記第１種の空気処理装置は、運行優先度を有するように設定されており、
前記第１種の空気処理装置は、前記処理結果に基づき、残りの前記空気処理装置の運転状態を調節する、
ことを特徴とする、
請求項１又は４に記載の空気品質管理システム。
【請求項７】
３つ以上の前記空気処理装置を備え、
前記制御手段は、前記処理結果に基づき、前記３つ以上の空気処理装置のうちの１つの空気処理装置が第１の運行優先度を有するように設定し、
前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、
前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節する、
ことを特徴とする、
請求項１又は４に記載の空気品質管理システム。
【請求項８】
前記複数の空気処理装置は、２つの領域のそれぞれに対して空気処理を行う空気処理装置を、少なくとも２つ含み、
前記情報収集モジュールは、少なくとも使用者所在領域を含む使用者パラメータを収集し、
前記制御手段は、前記使用者パラメータを処理し、
かつ、前記処理結果に基づき、前記使用者所在領域に対応した前記空気処理装置が運行優先度を有するように設定し、
前記運行優先度を有する空気処理装置は、前記処理結果に基づき、複数の前記空気処理装置の運転状態を調節する、
ことを特徴とする、
請求項１に記載の空気品質管理システム。
【請求項９】
前記処理結果から、前記使用者所在領域以外の前記領域に対して空気処理を行う前記空気処理装置が空調機であることが示された場合に、
前記運行優先度を有する空気処理装置は、当該空調機をオフにするように調節する、
ことを特徴とする、
請求項８に記載の空気品質管理システム。
【請求項１０】
前記複数の空気処理装置の各々は、情報送受信モジュールを備え、
前記情報送受信モジュールは、
連動信号とフィードバック信号とを送信するように配置された送信回路と、
外部信号を受信するための受信回路と、
を含み、
前記受信回路は、前記外部信号がフィードバック信号であるか否か、および、前記運行優先度を有する空気処理装置から送信された連動信号を識別するための信号識別回路を含み、
前記運行優先度を有する空気処理装置における前記送信回路は、前記連動信号を残りの前記空気処理装置へ送信し、
前記運行優先度を有する空気処理装置における前記受信回路は、前記外部信号を受信し、その信号識別回路は前記外部信号が残りの前記空気処理装置からの前記フィードバック信号であるか否かを識別する、
ことを特徴とする、
請求項１に記載の空気品質管理システム。
【請求項１１】
前記運行優先度を有する空気処理装置における前記信号識別回路は、さらに、前記空気処理装置における前記送信回路に接続されて、前記連動信号を受信し、
当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する、
ことを特徴とする、
請求項１０に記載の空気品質管理システム。
【請求項１２】
前記運行優先度を有する空気処理装置における前記信号識別回路は、所定の信号を予め設定し、当該信号識別回路は、前記外部信号と前記所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定する、
ことを特徴とする、
請求項１０に記載の空気品質管理システム。
【請求項１３】
前記運行優先度を有する空気処理装置における前記信号識別回路は、前記制御手段に接続されて識別結果を出力し、前記制御手段は、前記識別結果に基づき、前記運行優先度を有する空気処理装置における前記送信回路が前記連動信号を再送信するか否かを指示する、
ことを特徴とする、
請求項１０に記載の空気品質管理システム。
【請求項１４】
前記制御手段は、制御プロセスを実行して、前記運行優先度を有する空気処理装置における前記情報送受信モジュールに前記連動信号を提供し、前記外部信号が前記フィードバック信号である場合、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示する、
ことを特徴とする、
請求項１０に記載の空気品質管理システム。
【請求項１５】
前記運行優先度を有する空気処理装置における前記送信回路による隣接した２回の前記連動信号の送信時間の間には、待ち時間がある、
ことを特徴とする、
請求項１４に記載の空気品質管理システム。
【請求項１６】
請求項１から１５のいずれか１項に記載の空気品質管理システムを備えた空気品質管理方法において、
互いに関連付けられた複数の空気処理装置を提供し、 
前記複数の空気処理装置のそれぞれに接続され、前記複数の空気処理装置のうちの１つの空気処理装置が運行優先度を有するように設定するための制御手段を提供し、
前記制御手段は、使用者パラメータ、空気品質パラメータ、および、前記空気処理装置の運行パラメータのうちの少なくとも１つを収集する情報収集モジュールを備え、
前記制御手段は、前記情報収集モジュールにより収集された情報を処理し、処理結果を取得し、
前記制御手段は、前記処理結果に基づき、前記空気処理装置の運行優先度を設定し、
運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節することを含む、
ことを特徴とする、
空気品質管理方法。
【請求項１７】
前記複数の空気処理装置は、第１種の空気処理装置と第２種の空気処理装置を含み、
前記方法において、
前記制御手段は、前記第１種の空気処理装置が空調機であると判定し、前記第２種の空気処理装置が、フレッシュエアー装置、空気清浄機、換気ファンのうちの１つであると判断し、
前記情報収集モジュールは、室内の空気温度パラメータ、室内の空気清浄度パラメータを収集し、
前記情報処理モジュールは、前記空気品質パラメータを処理し、
前記処理結果から、室内の空気温度パラメータが所定の範囲外となり、かつ、室内の空気清浄度パラメータが所定の範囲内となることが示された場合に、前記制御手段は、前記第１種の空気処理装置が運行優先度を有するように設定し、
前記第１種の空気処理装置は、前記処理結果に基づき、前記第２種の空気処理装置の運転状態を調節し、
前記処理結果から、室内の空気温度パラメータが所定の範囲内となり、かつ、室内の空気清浄度パラメータが所定の範囲外となることが示された場合に、前記制御手段は、前記第２種の空気処理装置が運行優先度を有するように設定し、
前記第２種の空気処理装置は、前記処理結果に基づき、前記第１種の空気処理装置の運転状態を調節することを含む、
ことを特徴とする、
請求項１６に記載の空気品質管理方法。
【請求項１８】
前記複数の空気処理装置は、第１種の空気処理装置と第２種の空気処理装置を含み、
前記方法において、
前記制御手段は、前記第１種の空気処理装置が空調機であると判定し、前記第２種の空気処理装置が、フレッシュエアー装置、空気清浄機、換気ファン、および、加湿器/除湿機のうちの１つであると判断し、
前記情報収集モジュールは、空気温度パラメータ、空気清浄度パラメータ、および、空気湿度パラメータを収集し、
前記制御手段は、前記空気品質パラメータを処理し、
前記処理結果から、室内の空気温度パラメータが所定の範囲外となり、かつ、前記室内の空気清浄度パラメータが所定の範囲内となり、かつ、前記室内の空気湿度パラメータが所定の範囲内となることが示された場合に、前記制御手段は、前記第１種の空気処理装置が運行優先度を有するように設定し、
前記第１種の空気処理装置は、前記処理結果に基づき、残りの前記空気処理装置の運転状態を調節することを含む、
ことを特徴とする、
請求項１６に記載の空気品質管理方法。
【請求項１９】
前記方法において、
３つ以上の前記空気処理装置を備え、
前記制御手段は、前記処理結果に基づき、前記３つ以上の空気処理装置のうちの１つの空気処理装置が第１の運行優先度を有するように設定し、
前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、
前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節することを含む、
ことを特徴とする、
請求項１６に記載の空気品質管理方法。
【請求項２０】
前記方法において、
前記複数の空気処理装置は、２つの領域のそれぞれに対して空気処理を行う空気処理装置を、少なくとも２つ含むように提供し、
前記情報収集モジュールは、使用者所在領域のパラメータを収集し、
前記制御手段は、前記使用者所在領域のパラメータを処理し、
かつ、前記処理結果に基づき、前記使用者所在領域に対応した前記空気処理装置が運行優先度を有するように設定し、
前記運行優先度を有する空気処理装置は、前記処理結果に基づき、複数の前記空気処理装置の運転状態を調節することを含む、
ことを特徴とする、
請求項１６に記載の空気品質管理方法。
【請求項２１】
前記方法において、
前記処理結果から、前記使用者所在領域以外の前記領域に対して空気処理を行う前記空気処理装置が空気清浄機であることが示された場合に、
前記情報収集モジュールは、当該領域の空気品質パラメータを収集し、
前記情報処理モジュールは、当該領域の空気清浄度パラメータを処理し、 
前記使用者所在領域以外の前記領域に対する空気清浄度パラメータが所定の範囲内となる場合、前記運行優先度を有する空気処理装置は、当該空気清浄機をオフにするように調節し、
前記使用者所在領域以外の前記領域に対する空気清浄度パラメータが所定の範囲外となる場合、前記運行優先度を有する空気処理装置は、当該空気清浄機をオンにするように調節することを含む、
ことを特徴とする、
請求項２０に記載の空気品質管理方法。
【請求項２２】
前記方法において、前記情報収集モジュールは、さらに、使用者生体パラメータ、又は、使用者活動状態を収集し、
前記情報処理モジュールは、前記生体パラメータ又は使用者活動状態を処理し、
前記運行優先度を有する空気処理装置は、処理結果に基づき、自身の運転状態を調節し、
同時に、処理結果に基づき、前記システムにおける残りの空気処理装置の運転状態を調節することを含む、
ことを特徴とする、
請求項１６に記載の空気品質管理方法。
【請求項２３】
前記複数の空気処理装置は、第１種の空気処理装置と第２種の空気処理装置を含み、
前記方法において、さらに、
前記制御手段は、前記第１種の空気処理装置が空調機であると判定し、前記第２種の空気処理装置が、フレッシュエアー装置、換気ファンのうちの１つであると判断し、
前記情報収集モジュールは、室内の空気品質パラメータ及び室外の空気品質パラメータを収集し、前記室内の空気品質パラメータ及び室外の空気品質パラメータは、空気温度と空気清浄度を含み、
前記制御手段は、前記室内の空気品質パラメータ及び室外の空気品質パラメータを処理し、
前記処理結果から、室内と室外の温度差が所定の閾値よりも大きいことが示された場合に、前記空調機は、運行優先度を有するように設定され、
前記処理結果から、室内の空気清浄度が所定の範囲外となり、かつ、前記室内と室外の温度差が所定の閾値よりも小さいことが示された場合に、前記フレッシュエアー装置と換気ファンのうちの１つは、運行優先度を有するように設定され、
前記処理結果から、室内と室外の温度差が所定の閾値よりも大きく、かつ、室内の空気清浄度が所定の閾値の範囲外となることが示された場合に、前記空調機は、運行優先度を有するように設定されることを含む、
ことを特徴とする、
請求項１６に記載の空気品質管理方法。
【請求項２４】
前記複数の空気処理装置の各々は、情報送受信モジュールを備え、
前記情報送受信モジュールは、
連動信号とフィードバック信号とを送信するように配置された送信回路と、
外部信号を受信するための受信回路と、を含み、
前記受信回路は、前記外部信号がフィードバック信号であるか否か、および、前記運行優先度を有する空気処理装置から送信された連動信号を識別するための信号識別回路を含み、
前記方法において、さらに、
前記運行優先度を有する空気処理装置における前記送信回路は、前記連動信号を残りの前記空気処理装置へ送信し、
前記運行優先度を有する空気処理装置における前記受信回路は、前記外部信号を受信し、その信号識別回路は前記外部信号が残りの前記空気処理装置からの前記フィードバック信号であるか否かを識別することを含む、
ことを特徴とする、
請求項１６に記載の空気品質管理方法。
【請求項２５】
前記方法において、さらに、
前記運行優先度を有する空気処理装置における前記信号識別回路は、前記連動信号を受信し、
当該信号識別回路は、前記外部信号と前記連動信号とを照合し、
前記外部信号が前記連動信号にマッチングした場合に、前記外部信号が前記フィードバック信号であると判定し、マッチングしなかった場合には、前記外部信号が前記フィードバック信号ではないと判定することを含む、
ことを特徴とする、
請求項２４に記載の空気品質管理方法。
【請求項２６】
前記方法において、さらに、
前記運行優先度を有する空気処理装置における前記信号識別回路は、前記連動信号を受信し、
当該信号識別回路は、前記外部信号と所定の信号とを照合し、
前記外部信号が前記所定の信号にマッチングした場合に、前記外部信号が前記フィードバック信号であると判定し、マッチングしなかった場合には、前記外部信号が前記フィードバック信号ではないと判定することを含む、
ことを特徴とする、
請求項２４に記載の空気品質管理方法。
【請求項２７】
前記方法において、さらに、
前記運行優先度を有する空気処理装置における前記信号識別回路は、識別結果を前記制御手段に出力し、
前記制御手段は、前記識別結果に基づき、前記運行優先度を有する空気処理装置における前記送信回路が前記連動信号を再送信するか否かを指示することを含む、
ことを特徴とする、
請求項２４に記載の空気品質管理方法。
【請求項２８】
前記方法において、さらに、
前記制御手段は、前記運行優先度を有する空気処理装置へ前記連動信号を提供し、
前記外部信号が前記フィードバック信号である場合に、前記制御手段は、前記制御プロセスを継続して実行することで、前記運行優先度を有する空気処理装置における前記送信回路が別の連動信号を送信するように指示し、
前記外部信号が前記フィードバック信号ではない場合に、前記制御手段は、当該送信回路が前記連動信号を再送信するように指示することを含む、
ことを特徴とする、
請求項２４に記載の空気品質管理方法。
【請求項２９】
前記方法において、さらに、
前記情報収集モジュールは、所定の時間間隔で、使用者パラメータ、空気品質パラメータ、前記複数の空気処理装置のうちの少なくとも１つを収集し、
前記制御手段は、前記情報収集モジュールにより収集された情報を処理し、処理結果を取得し、前記制御手段は、前記処理結果に基づき、運行優先度を有する空気処理装置を切り替えるか否かを選択することを含む、
ことを特徴とする、
請求項１６に記載の空気品質管理方法。
【発明の詳細な説明】
【技術分野】
【０００１】
空気品質管理に関し、特に、空気品質管理システム及び方法に関する。
【背景技術】
【０００２】
環境汚染の有害性に対する我々の意識が高まっていることに伴って、空気品質、特に、室内空気品質をどのように高めるか、我々の生活や作業環境をどのように改善するか、は大きな課題となっている。【０００３】
日常生活では、室内温度を調節するように空調機を部屋内に実装することが普通である。生活水準が高まったことで、実際の環境上の要求に応じて、加湿器、除湿機、フレッシュエアーシステム、換気ファン、空気清浄機などの補助空気処理装置を用いて、室内空気の湿度や清浄度を調節する場合もある。例えば、特許文献１（特開２００５−１２１３１６号公報）を参照されたい。【０００４】
それらの種々の空気処理装置は、通常に、個別的に運行しているが、そのうちの２つ以上が同時に使用されると、互いに干渉してしまう問題が生じる。【０００５】
例えば、空調機によって冷房する/暖房する時、フレッシュエアーシステムが室外からフレッシュエアーを導入すると、空調機による冷房/暖房の効果が低下してしまい、無駄なエネルギー消費となっている。使用環境の制限のため、上述した種々の空気処理装置は１つのデバイスとして集成されることが難しい。【０００６】
しかも、上述した種々の空気処理装置を１つのデバイスとして集成したとしても、生活環境における異なる空間に応じた空気品質への人々の要求を全て、満たすことができるとは考えにくい。【０００７】
また、複数の部屋がある場合に、その複数の部屋のそれぞれに空調機を個別に実装することが一般的である。使用者の快適性に満足しつつ、省エネルギーを可能にするために、異なる部屋内の空調機及び補助空気処理装置の運行モードをどのように調節すればよいかも、解決すべき課題の一つである。
【発明の概要】
【発明が解決しようとする課題】
【０００８】
種々の空気処理装置の運行モードを協調させて、さらに良い管理効果を取得することができる空気品質管理システム及び方法を提供することが、課題である。
【課題を解決するための手段】
【０００９】
上記の技術的課題を解決するために、本開示は、互いに関連付けられた複数の空気処理装置と、前記複数の空気処理装置のそれぞれに接続され、前記複数の空気処理装置のうちの１つの空気処理装置が運行優先度を有するように設定するための制御手段と、を備え、前記制御手段は、使用者パラメータ、空気品質パラメータ、および、前記空気処理装置の運行パラメータのうちの少なくとも１つを収集する情報収集モジュールを備え、前記制御手段は、前記情報収集モジュールにより収集された情報を処理し、処理結果を取得し、前記制御手段は、前記処理結果に基づき、前記空気処理装置の運行優先度を設定し、運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節する、空気品質管理システムを提供する。【００１０】
環境における空気品質、使用者パラメータなどに基づき、運行優先度を設定することで、制御の精度が高くなり、そして、運行優先度に応じて、空気処理装置の運転状態を調節することにより、使用者の快適さを確保することに助かる一方で、省エネルギーを可能にし、インテリジェント化の程度が高くなる。【００１１】
本開示は、使用者パラメータ、空気品質パラメータ、空気処理装置の運行パラメータに基づき、空気処理装置の運行優先度を設定するとともに、空気処理装置の運転状態を調節することにより、制御がインテリジェント化され、調節精度が高くなり、使用者の快適さの要求を満足することができる。【００１２】
本開示の一実施例では、前記使用者パラメータは、使用者所在領域、使用者生体パラメータ、および、使用者活動状態のうちの１つ以上を含む。【００１３】
本開示の一実施例では、前記空気品質パラメータは、空気温度パラメータ、空気清浄度パラメータ、および、空気湿度パラメータのうちの少なくとも１つを含む。【００１４】
本開示の一実施例では、前記制御手段は、前記情報収集モジュールにより収集された情報を処理して、処理結果を取得する情報処理モジュールを備える。【００１５】
本開示の一実施例では、前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファンのうちの１つであり、前記空気品質パラメータは、空気温度パラメータ、および、空気清浄度パラメータを含み、前記制御手段は、前記空気品質パラメータを処理し、前記処理結果から、室内の空気温度パラメータが所定の範囲外となり、かつ、前記室内の空気清浄度パラメータが所定の範囲内となることが示された場合に、前記第１種の空気処理装置は、運行優先度を有するように設定されており、前記空調機は、前記処理結果に基づき、前記フレッシュエアー装置、空気清浄機、換気ファンのうちの１つの運転状態を調節する。本実施例における空気処理装置は、様々な種類があり、処理結果に基づき、使用者の快適さの要求を満足できるように、異なる種類の空気処理装置を選択することができる。本実施例では、室内の空気温度パラメータと清浄度パラメータに基づき、空気処理装置の運行優先度を設定することにより、制御の精度が高くなり、省エネルギーが可能であり、使用者による空気温度、清浄度への要求をさらに満足することができる。【００１６】
本開示の一実施例では、前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファン、加湿/除湿機のうちの１つであり、前記空気品質パラメータは、空気温度パラメータ、空気清浄度パラメータ、および、空気湿度パラメータを含み、前記制御手段は、前記空気品質パラメータを処理し、前記処理結果から、室内の空気温度パラメータが所定の範囲外となり、前記室内の空気清浄度パラメータが所定の範囲内となり、かつ、前記室内の空気湿度パラメータが所定の範囲内となることが示された場合に、前記第１種の空気処理装置は、運行優先度を有するように設定されており、前記第１種の空気処理装置は、前記処理結果に基づき、残りの前記空気処理装置の運転状態を調節する。本実施例では、空気温度パラメータ、湿度パラメータ、および清浄度パラメータに対する総合的な考慮を基にして、空気処理装置の運行優先度を設定することにより、制御の精度が高くなり、省エネルギーが可能となる。【００１７】
本開示の一実施例では、３つ以上の前記空気処理装置を備え、前記制御手段は、前記処理結果に基づき、前記３つ以上の空気処理装置のうちの１つの空気処理装置が第１の運行優先度を有するように設定し、前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節する。本実施例では、複数の空気処理装置に対して、レベルごとに、優先度レベルを運行することにより、実際の状況に応じた空気処理を行うことができ、使用者による空気品質への要求を満足し、制御の制度が高く、省エネルギーが可能となる。【００１８】
本開示の一実施例では、前記複数の空気処理装置は、２つの領域のそれぞれに対して空気処理を行う空気処理装置を、少なくとも２つ含み、前記情報収集モジュールは、少なくとも使用者所在領域を含む使用者パラメータを収集し、前記制御手段は、前記使用者パラメータを処理し、かつ、前記処理結果に基づき、前記使用者所在領域に対応した前記空気処理装置が運行優先度を有するように設定し、前記運行優先度を有する空気処理装置は、前記処理結果に基づき、複数の前記空気処理装置の運転状態を調節する。本実施例では、使用者所在領域に応じて、空気処理装置の運行優先度を設定することにより、省エネルギーが可能となりつつ、使用者による要求をさらに満足することができる。【００１９】
本開示の一実施例では、前記処理結果から、前記使用者所在領域以外の前記領域に対して空気処理を行う前記空気処理装置が空調機であることが示された場合に、前記運行優先度を有する空気処理装置は、当該空調機をオフにするように調節する。それにより、省エネルギーが可能となる。【００２０】
本開示の一実施例では、前記複数の空気処理装置の各々は、情報送受信モジュールを備え、前記情報送受信モジュールは、連動信号とフィードバック信号とを送信するように配置された送信回路と、外部信号を受信するための受信回路と、を含み、前記受信回路は、前記外部信号がフィードバック信号であるか否か、および、前記運行優先度を有する空気処理装置から送信された連動信号を識別するための信号識別回路を含み、前記運行優先度を有する空気処理装置における前記送信回路は、前記連動信号を残りの前記空気処理装置へ送信し、前記運行優先度を有する空気処理装置における前記受信回路は、前記外部信号を受信し、その信号識別回路は前記外部信号が残りの前記空気処理装置からの前記フィードバック信号であるか否かを識別する。それにより、信号識別によるフィードバック信号への検出を実現することができ、空気処理装置が所定のプロセスに従って運行することが確保される。【００２１】
本開示の一実施例では、前記運行優先度を有する空気処理装置における前記信号識別回路は、さらに、前記運行優先度を有する空気処理装置における前記送信回路に接続されて、前記連動信号を受信し、当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する。それにより、信号識別によるフィードバック信号への検出を実現することができ、空気処理装置が所定のプロセスに従って運行することが確保される。【００２２】
本開示の一実施例では、前記運行優先度を有する空気処理装置における前記信号識別回路は、所定の信号を予め設定し、当該信号識別回路は、前記外部信号と前記所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定する。【００２３】
本開示の一実施例では、前記運行優先度を有する空気処理装置における前記信号識別回路は、前記制御手段に接続されて識別結果を出力し、前記制御手段は、前記識別結果に基づき、前記運行優先度を有する空気処理装置における前記送信回路が前記連動信号を再送信するか否かを指示する。【００２４】
本開示の一実施例では、前記制御手段は、制御プロセスを実行して、前記運行優先度を有する空気処理装置における前記情報送受信モジュールに前記連動信号を提供し、前記外部信号が前記フィードバック信号である場合、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示する。信号識別により、連動信号が成功に送信されたか否かを判断することができる。【００２５】
本開示の一実施例では、前記運行優先度を有する空気処理装置における前記送信回路による隣接した2回の前記連動信号の送信時間の間には、待ち時間がある。それにより、2回のそれぞれに送信された連動信号間に衝突が発生するのを防止することができる。【００２６】
本開示は、さらに、互いに関連付けられた複数の空気処理装置を提供し、前記複数の空気処理装置のそれぞれに接続され、前記複数の空気処理装置のうちの１つの空気処理装置が運行優先度を有するように設定するための制御手段を提供し、前記制御手段は、使用者パラメータ、空気品質パラメータ、および、前記空気処理装置の運行パラメータのうちの少なくとも１つを収集する情報収集モジュールを備え、前記制御手段は、前記情報収集モジュールにより収集された情報を処理し、処理結果を取得し、前記制御手段は、前記処理結果に基づき、前記空気処理装置の運行優先度を設定し、運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節することを含む、空気品質管理方法を提供する。環境における空気品質、使用者パラメータなどに基づき、運行優先度を設定することで、制御の精度が高くなり、そして、運行優先度に応じて、空気処理装置の運転状態を調節することにより、使用者の快適さを確保することに助かる一方で、省エネルギーを可能にし、インテリジェント化の程度が高くなる。【００２７】
本開示の一実施例では、前記複数の空気処理装置は、第１種の空気処理装置と第２種の空気処理装置を含み、前記方法において、前記制御手段は、前記第１種の空気処理装置が空調機であると判定し、前記第２種の空気処理装置が、フレッシュエアー装置、空気清浄機、換気ファンのうちの１つであると判断し、前記情報収集モジュールは、室内の空気温度パラメータ、室内の空気清浄度パラメ−タを収集し、前記情報処理モジュールは、前記空気品質パラメータを処理し、前記処理結果から、室内の空気温度パラメータが所定の範囲外となり、かつ、室内の空気清浄度パラメータが所定の範囲内となることが示された場合に、前記制御手段は、前記第１種の空気処理装置が運行優先度を有するように設定し、前記第１種の空気処理装置は、前記処理結果に基づき、前記第２種の空気処理装置の運転状態を調節し、前記処理結果から、室内の空気温度パラメータが所定の範囲内となり、かつ、室内の空気清浄度パラメータが所定の範囲外となることが示された場合に、前記制御手段は、前記第２種の空気処理装置が運行優先度を有するように設定し、前記第２種の空気処理装置は、前記処理結果に基づき、前記第１種の空気処理装置の運転状態を調節することを含む。本実施例では、室内の空気温度パラメータと清浄度パラメータに基づき、空調機、フレッシュエアー装置、および、空気清浄機の運行優先度を設定することにより、実際の環境要求に応じて、室内の空気温度及び清浄度を調節することができ、使用者による空気温度、清浄度への要求を同時に満足できることを確保し、制御の精度が高くなるだけではなく、省エネルギーが可能となる。【００２８】
本開示の一実施例では、前記複数の空気処理装置は、第１種の空気処理装置と第２種の空気処理装置を含み、前記方法において、前記制御手段は、前記第１種の空気処理装置が空調機であると判定し、前記第２種の空気処理装置が、フレッシュエアー装置、空気清浄機、換気ファン、および、加湿器/除湿機のうちの１つであると判断し、前記情報収集モジュールは、空気温度パラメータ、空気清浄度パラメータ、および、空気湿度パラメータを収集し、前記制御手段は、前記空気品質パラメータを処理し、前記処理結果から、室内の空気温度パラメータが所定の範囲外となり、かつ、前記室内の空気清浄度パラメータが所定の範囲内となり、かつ、前記室内の空気湿度パラメータが所定の範囲内となることが示された場合に、前記制御手段は、前記第１種の空気処理装置が運行優先度を有するように設定し、前記第１種の空気処理装置は、前記処理結果に基づき、残りの前記空気処理装置の運転状態を調節する。本実施例では、空気温度パラメータ、清浄度パラメータ、および湿度パラメータに対する総合的な考慮を基にして、空気処理装置の運行優先度を設定することにより、使用者による空気温度、清浄度及び湿度への要求を同時に満足できることを確保し、制御の精度が高くなるだけではなく、省エネルギーが可能となる。【００２９】
本開示の一実施例では、前記方法において、３つ以上の前記空気処理装置を備え、前記制御手段は、前記処理結果に基づき、前記３つ以上の空気処理装置のうちの１つの空気処理装置が第１の運行優先度を有するように設定し、前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節することを含む。本実施例では、複数の空気処理装置に対して、レベルごとに、優先度レベルを運行することにより、実際の状況に応じた空気処理を行うことができ、使用者による空気品質への要求を満足し、制御の制度が高く、省エネルギーが可能となる。【００３０】
本開示の一実施例では、前記方法において、前記複数の空気処理装置は、２つの領域のそれぞれに対して空気処理を行う空気処理装置を、少なくとも２つ含むように提供し、前記情報収集モジュールは、使用者所在領域のパラメータを収集し、前記制御手段は、前記使用者所在領域のパラメータを処理し、かつ、前記処理結果に基づき、前記使用者所在領域に対応した前記空気処理装置が運行優先度を有するように設定し、前記運行優先度を有する空気処理装置は、前記処理結果に基づき、複数の前記空気処理装置の運転状態を調節することを含む。使用者所在領域における空気処理装置は、複数の空気処理装置の運転状態を調節することにより、使用者所在領域の空気品質が使用者による要求を満足できるようにするだけではなく、他の領域における空気処理装置を調節することにより、省エネルギーの効果を実現することもできる。【００３１】
本開示の一実施例では、前記方法において、前記処理結果から、前記使用者所在領域以外の前記領域に対して空気処理を行う前記空気処理装置が空気清浄機であることが示された場合に、前記情報収集モジュールは、当該領域の空気品質パラメータを収集し、前記情報処理モジュールは、当該領域の空気清浄度パラメータを処理し、前記使用者所在領域以外の前記領域に対する空気清浄度パラメータが所定の範囲内となる場合、前記運行優先度を有する空気処理装置は、当該空気清浄機をオフにするように調節し、前記使用者所在領域以外の前記領域に対する空気清浄度パラメータが所定の範囲外となる場合、前記運行優先度を有する空気処理装置は、当該空気清浄機をオンにするように調節することを含む。【００３２】
本開示の一実施例では、前記方法において、前記情報収集モジュールは、さらに、使用者生体パラメータ、および、使用者活動状態を収集し、前記情報処理モジュールは、前記生体パラメータ又は使用者活動状態を処理し、前記運行優先度を有する空気処理装置は、処理結果に基づき、自身の運転状態を調節し、同時に、処理結果に基づき、前記システムにおける残りの空気処理装置の運転状態を調節することを含む。本実施例では、使用者生体パラメータ又は使用者活動状態パラメータに基づき、空気処理装置の優先度を設定することにより、使用者による異なる生体または状態での空気品質への要求をさらに満足することができ、制御の精度が高くなる。【００３３】
本開示の一実施例では、前記複数の空気処理装置は、第１種の空気処理装置と第２種の空気処理装置を含み、前記方法において、さらに、前記制御手段は、前記第１種の空気処理装置が空調機であると判定し、前記第２種の空気処理装置が、フレッシュエアー装置、換気ファンのうちの１つであると判断し、前記情報収集モジュールは、室内の空気品質パラメータ及び室外の空気品質パラメータを収集し、前記室内の空気品質パラメータ及び室外の空気品質パラメータは、空気温度と空気清浄度を含み、前記制御手段は、前記室内の空気品質パラメータ及び室外の空気品質パラメータを処理し、前記処理結果から、室内と室外の温度差が所定の閾値よりも大きいことが示された場合に、前記空調機は、運行優先度を有するように設定され、前記処理結果から、室内の空気清浄度が所定の範囲外となり、かつ、前記室内と室外の温度差が所定の閾値よりも小さいことが示された場合に、前記フレッシュエアー装置と換気ファンのうちの１つは、運行優先度を有するように設定され、前記処理結果から、室内と室外の温度差が所定の閾値よりも大きく、かつ、室内の空気清浄度が所定の閾値の範囲外となることが示された場合に、前記空調機は、運行優先度を有するように設定されることを含む。本実施例における判断条件によれば、制御の制度がさらに高くなり、更なる省エネルギーを実現することができる。【００３４】
本開示の一実施例では、前記複数の空気処理装置の各々は、情報送受信モジュールを備え、前記情報送受信モジュールは、連動信号とフィードバック信号とを送信するように配置された送信回路と、外部信号を受信するための受信回路と、を含み、前記受信回路は、前記外部信号がフィードバック信号であるか否か、および、前記運行優先度を有する空気処理装置から送信された連動信号を識別するための信号識別回路を含み、前記方法において、さらに、前記運行優先度を有する空気処理装置における前記送信回路は、前記連動信号を残りの前記空気処理装置へ送信し、前記運行優先度を有する空気処理装置における前記受信回路は、前記外部信号を受信し、その信号識別回路は前記外部信号が残りの前記空気処理装置からの前記フィードバック信号であるか否かを識別することを含む。信号識別によるフィードバック信号への検出を実現することができ、空気処理装置が所定のプロセスに従って運行することが確保される。【００３５】
本開示の一実施例では、前記方法において、さらに、前記運行優先度を有する空気処理装置における前記信号識別回路は、前記連動信号を受信し、当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する。【００３６】
本開示の一実施例では、前記方法において、さらに、前記運行優先度を有する空気処理装置における前記信号識別回路は、前記連動信号を受信し、当該信号識別回路は、前記外部信号と所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定することを含む。【００３７】
本開示の一実施例では、前記方法において、さらに、前記運行優先度を有する空気処理装置における前記信号識別回路は、識別結果を前記制御手段に出力し、前記制御手段は、前記識別結果に基づき、前記運行優先度を有する空気処理装置における前記送信回路が前記連動信号を再送信するか否かを指示することを含む。【００３８】
本開示の一実施例では、前記方法において、さらに、前記制御手段は、前記運行優先度を有する空気処理装置へ前記連動信号を提供し、前記外部信号が前記フィードバック信号である場合に、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示することを含む。【００３９】
本開示の一実施例では、前記方法において、さらに、前記情報収集モジュールは、所定の時間間隔で、使用者パラメータ、空気品質パラメータ、前記複数の空気処理装置のうちの少なくとも１つを収集し、前記制御手段は、前記情報収集モジュールにより収集された情報を処理し、処理結果を取得し、前記制御手段は、前記処理結果に基づき、運行優先度を有する空気処理装置を切り替えるか否かを選択することを含む。
従来技術と比べて、本開示における空気品質管理システム及び方法では、運行優先度を有するように設定された空気処理装置は、情報の処理結果に基づき、自身の運転状態及び残りの処理装置の運転状態を調節することができ、使用者の快適さを確保しつつ、省エネルギーを可能にする一方で、空気処理装置及びその部品の使用寿命を延ばすことに助かり、制御の精度を高くすることにも有利的であり、インテリジェント化の程度が高くなる。
【図面の簡単な説明】
【００４０】
【図１】本開示の第１の実施例に係る空気品質管理システムの構成ブロック図である。
【図２】本開示の第２の実施例に係る空気品質管理システムの構成ブロック図である。
【図３】本開示の第３の実施例に係る空気品質管理システムの構成ブロック図である。
【図４】本開示の第１の実施例に係る空気品質管理方法のフローチャートである。
【図５】本開示に係る空気品質管理方法の１つの例示である。
【図６】本開示に係る空気品質管理方法の別の例示である。
【図７】本開示の一実施例に係る信号のインタラクティブ実施環境である。
【図８】本開示の一実施例に係る１つの空気処理装置のインタラクティブ過程の例示である。
【図９】本開示の一実施例に係る別の空気処理装置のインタラクティブ過程の例示である。
【図１０】本開示の一実施例に係る情報送受信モジュールの構成図である。
【図１１】本開示の別の一実施例に係る情報送受信モジュールの構成図である。
【図１２】本開示の一実施例に係るさらに別の空気処理装置のインタラクティブ過程の例示である。
【発明を実施するための形態】
【００４１】
本開示の上記目的、特徴及び利点をさらに分かりやすくするために、以下は、添付図面を結び付けながら、本開示の具体的な実施の形態を詳しく説明する。
【００４２】
本開示を十分に理解してもらいたいために、以下の記載には、複数の具体的な細部が説明されているが、しかし、本開示は、ここの記載とは異なる他の方式により、実施されてもよいので、本開示は、以下の開示の具体的な実施例によって制限されていない。
【００４３】
本願及び特許請求の範囲に示されたように、上下文脈には例外の場合が明確に提示されていることを除外して、「一」、「１種」、および/又は「当該」などの言葉は、特に単数を示すものではなく、複数を示す場合もある。一般的には、用語である「含む」と「含有」は、既に明確に標識したステップ及び要素が含まれることのみを提示し、それらのステップ及び要素は、１つの排他的な配列を構成しなく、方法又は機器には、他のステップまたは要素が含まれてもよい。
【００４４】
本開示の実施例に記載の室内の空気品質管理システム及び方法によれば、複数種類の空気処理装置の運行モードを調節することができ、異なる空間に対する使用者の空気品質への要求を満足することができるほか、省エネルギーを可能にする。
【００４５】
図１は、本開示の第１の実施例に係る空気品質管理システムの構成ブロック図である。図１に示すように、本実施例における空気品質管理システム１００は、空気処理装置１１０、空気処理装置１２０、および制御手段１３０を含んでもよい。空気処理装置１１０と空気処理装置１２０は、それぞれ、空気の温度、湿度、清浄度、流通を調節可能な複数種類の装置であってもよく、空調機、フレッシュエアー装置、空気清浄機、レンジフード、換気ファン、加湿/除湿機などを含んでもよいが、これらに限られていない。図１には、２つの空気処理装置が例示されているが、空気処理装置の数がさらに多くなってもよいことも理解できるだろう。空気処理装置１１０と空気処理装置１２０は互いに紐づけられている。少なくとも１つのモードでは、空気処理装置１１０と空気処理装置１２０は、互いに協力して作動する。空気品質管理システム１００には、空気処理装置１１０と空気処理装置１２０が互いに個別に作動するというもう１つのモードが存在してもよいことが理解できるだろう。空気処理装置１１０と空気処理装置１２０は、同じ種類の空気処理装置であってもよく、異なる種類の空気処理装置であってもよい。また、空気処理装置１１０と空気処理装置１２０は、調節される空間における同一の領域に設けられてもよく、調節される空間における異なる領域に設けられてもよい。
【００４６】
本開示の上下文脈からすると、調節される空間は室内領域であってもよく、半開放領域または室外領域であってもよい。
【００４７】
制御手段１３０は、空気処理装置１１０内に設けられてもよく、空気処理装置１２０に設けられてもよく、又は、個別に設けられてもよい。個別に設けられた場合に、制御手段１３０は、調節される空間内の任意の位置に位置してもよい。その代わりに、各空気処理装置において、分散式制御手段を設けてもよい。それらの分散式制御手段はインタラクティブなものであり、本実施例における制御手段１３０を構成した。
【００４８】
制御手段１３０は、空気処理装置１１０と空気処理装置１２０にそれぞれ、接続されている。制御手段１３０と、空気処理装置１１０および空気処理装置１２０のそれぞれとの接続方式として、有線であってもよいし、無線であってもよい。有線方式には、金属ケーブル、光ファイバケーブル、ハイブリットケーブル、インタフェースなどの使用を含み、又は、それらの使用の任意の組み合わせを含んでもよい。無線方式には、ローカルエリアネットワーク（ＬＡＮ）、ワイドエリアネットワーク（ＷＡＮ）、Ｂｌｕｅｔｏｏｔｈ、ＺｉｂＢｅｅなどの使用を含み、又は、それらの使用の任意の組み合わせを含んでもよい。制御手段１３０の実例として、リモコン、ワイヤードリモコン、インテリジェント端末などが挙げられる。
【００４９】
空気処理装置１１０は、情報を送受信するための情報送受信モジュール１１１を含んでもよい。空気処理装置１２０は、情報を送受信するための情報送受信モジュール１２１を含んでもよい。
【００５０】
本開示の上下文脈からすると、制御手段は、空気処理装置１１０と１２０のうちの１つが運行優先度を有するように設定してもよい。そうすると、運行優先度を有するように設定された空気処理装置は、使用者により制御されているが、運行優先度を有しない他の空気処理装置は、運行優先度を有する空気処理装置からの指令を受けなければならない。
【００５１】
本開示の上下文脈からすると、運行優先度は、さらに、複数のレベルに分けられてもよい。各空気処理装置１１０、１２０は、作動上に、異なる運行優先度のレベルを有してもよい。制御手段により、空気処理装置１１０と空気処理装置１２０の運行優先度のレベルが設定された後、運行優先度のレベルが高ければ高いほど、空気処理装置の作動上の独立性が高くなるが、運行優先度のレベルが低ければ低いほど、空気処理装置の作動上の独立性が低くなり、他の空気処理装置の作動と協働しなければならない。例えば、第１の運行優先度が第２の運行優先度よりも高いと仮定する。第１の運行優先度は、使用者しか制御できないものであり、第２の運行優先度により制御されていないが、第２の運行優先度の作動は、使用者と第１の運行優先度の両方により制御されている。以降は、これによって類推する。
【００５２】
一実施例では、使用者による空気処理装置の運行優先度または運行優先度のレベルへの手動的な設定が許容されてもよい。
【００５３】
制御手段１３０は、空気処理装置１１０と空気処理装置１２０のうちの１つが運行優先度を有するように設定するために用いられてもよい。さらに具体的にいうと、制御手段１３０は、情報収集モジュール１３１と情報処理モジュール１３２を備えてもよい。情報収集モジュール１３１は、使用者パラメータ、空気品質パラメータ、空気処理装置１１０の運行パラメータ、および、空気処理装置１２０の運行パラメータのうちの少なくとも１つを収集してもよい。
【００５４】
情報処理モジュール１３２は、収集されたパラメータを処理し、処理結果を取得し、処理結果に基づき、空気処理装置１１０、１２０のうちの１つの運行優先度を設定する。制御手段１３０の内部構造は単に例示的なものに過ぎず、情報収集及び情報処理機能を実現できる制御手段１３０であれば、本開示の実施範囲に入っていることが理解できるだろう。
【００５５】
運行優先度を有するように設定された空気処理装置は、上記処理結果に基づき、自身の運転状態を調節し、同時に、運行優先度を有する空気処理装置は、上記処理結果に基づき、システム１００における残りの空気処理装置の運転状態を調節する。以下では、運行優先度を有する空気処理装置を主処理装置と、他の空気処理装置を補助処理装置と、呼ぶことにした。
【００５６】
本実施例では、運行優先度を有するように設定された主処理装置は、情報の処理結果に基づき、自身の運転状態及び補助処理装置の運転状態を調節することができ、使用者の快適さを確保しつつ、省エネルギーを可能にする一方で、空気処理装置及びその部品の使用寿命を延ばすことに助かる。
【００５７】
図４は、本開示の第１の実施例に係る空気品質管理方法のフローチャートである。図１と図４に示されたように、情報収集モジュール１３１は、操作４１〜４３のうちの少なくとも１つの操作を実行することで、室内の温度、湿度、清浄度、室外の温度、清浄度、および、各処理装置の運行パラメータのうちの少なくとも１つを収集してもよい。情報処理モジュール１３２は、操作４４にて、室内の温度、湿度、清浄度が人体の快適な温度、湿度、清浄度の範囲内にあるか否かを分析し、室内の温度と室外の温度との差、および、室外の清浄度と所定の清浄度との差を計算してもよい。情報処理モジュール１３２は、処理結果を主処理装置に提供してもよい。操作４５にて、主処理装置は、分析結果に基づき、自身の運転モードと補助処理装置の運転モードを調節してもよい。従って、本実施例では、室内の温度、湿度と清浄度、室外の温度と清浄度、および、各処理装置の運行パラメータを総合的に分析することで、運行優先度を有する空気処理装置である主処理装置を設定し、かつ、主処理装置により、各空気処理装置の運転モードを調節する。それにより、調節される空間内の空気温度、湿度と清浄度を総合的に調節することができ、さらに、使用者の快適さを確保しつつ、省エネルギーを可能にする。しかも、主処理装置では、分析結果に基づき、自身の運転モードと補助処理装置の運転モードを調節することができ、使用者が自分で各空気処理装置の運転状態、運行パラメータを設定する必要がないので、使用者による操作の利便性の向上に助かり、インテリジェント化の程度が高くなる。
【００５８】
本開示の上下文脈からすると、使用者パラメータは、使用者所在領域、使用者生体パラメータ、および、使用者活動状態のうちの１つ以上を含んでもよい。領域の角度からすると、空気品質パラメータは、室内の空気品質パラメータと室外の空気品質パラメータのうちの少なくとも１つを含んでもよい。種類の角度からすると、空気品質パラメータは、空気清浄度パラメータを含んでもよく、空気清浄度パラメータは、ＣＯ２濃度、PM2.5濃度、 ホルムアルデヒド濃度、煙、臭気のうちの少なくとも１つを含んでもよい。空気処理装置の運行パラメータは、運行モード、圧縮機周波数、送風温度、風量、送風機回転数のうちの少なくとも１つを含んでもよい。
【００５９】
情報収集モジュール１３１の実例として、種々のセンサと通信手段との組み合わせであってもよい。センサは、例えば、温度センサ、湿度センサ、ＰＭ２．５センサ、ＣＯ２センサ、ホルムアルデヒドセンサ、ＳＯＸセンサなどを含んでもよい。通信手段は、例えば、ブルートゥース通信手段、ＷＩＦＩ通信手段などを含んでもよい。
【００６０】
以下は、本実施例のいくつかの応用実例を例示する。
【００６１】
空気処理装置は、第１種の空気処理装置と第２種の空気処理装置を含んでもよい。
【００６２】
一実施例では、第１種の空気処理装置（例えば、空気処理装置１１０）は空調機であり、調節される空間の温度を調節するために用いられる。第２種の空気処理装置（例えば、空気処理装置１２０）は、室外の新鮮な空気を導入したり、新鮮な空気を発生したり、または、室内の汚れた空気を排出したりする装置であり、例えば、フレッシュエアー装置、空気清浄機、又は、換気ファンなどである。
【００６３】
制御手段１３０の情報収集モジュール１３１により収集された空気品質パラメータは、室内の空気品質パラメータと室外の空気品質パラメータを含んでもよく、室内の空気品質パラメータ及び室外の空気品質パラメータはそれぞれ、空気温度パラメータと空気清浄度パラメータを含んでもよい。空気品質パラメータは、処理のために、情報処理モジュール１３２に提供される。処理結果から、室内の空気温度パラメータが所定の範囲外となり、かつ、室内の空気清浄度パラメータが所定の範囲内となることが示された場合に、空調機は、第１の運行優先度を有するように設定されており、処理結果から、室外の空気清浄度が所定の閾値の範囲外となることが示された場合に、フレッシュエアー装置、空気清浄機、または、換気ファンは、運行優先度を有するように設定されている。ここで、運行優先度を有する空気処理装置を主処理装置と、運行優先度を有しない、または、さらに低いレベルの運行優先度（例えば、第２の運行優先度、第3の運行優先度など）を有する空気処理装置を補助処理装置と、呼ぶことにした。主処理装置は、使用者により制御されてもよいが、補助処理装置は、使用者により制御されているほか、主処理装置による調節も受けることとなる。逆に、主処理装置は、補助処理装置による調節を受けないこととなる。
例えば、空調機を主処理装置に、空気清浄機を補助処理装置に設定すると、省エネルギーの要求を満足するために、空気清浄機において通常的な浄化モードが採用されている。
【００６４】
制御手段１３０により、室内におけるタバコなどによる汚染物の濃度が限度値に達したことを検出された場合に、空気清浄機を主処理装置として切り替え、空気清浄機の運転モードを強力的な浄化モードに切り替える。調節される空間における空気品質の変化状況に応じて、主処理装置を切り替えることにより、調節される空間における空気品質を効率的に改善することができるだけではなく、省エネルギーを実現することもできる。
【００６５】
また、たとえば、図５に示す本開示に係る空気品質管理方法の１つの例示のように、操作５０にて、空調機を主処理装置として設定し、フレッシュエアー装置を補助処理装置として設定する。情報収集モジュール１３１は、操作５１〜５３のうちの少なくとも１つの操作を実行することで、室内の温度と湿度と清浄度、室外の温度と清浄度、および、各空気処理装置の運行パラメータのうちの少なくとも１つを収集してもよい。情報処理モジュール１３２は、操作５４にて、室内の温度と湿度と清浄度が人体の快適な温度と湿度と清浄度の範囲内にあるか否かを分析し、室内の温度と室外の温度との差、および、室外の清浄度と所定の清浄度との差を計算してもよい。情報処理モジュール１３２は、処理結果を主処理装置に提供してもよい。調節される空間内のCO2濃度が人体の快適な濃度範囲外となると、室内における汚れた空気を排出して、室外から新鮮な空気を導入する必要がある。
【００６６】
そのとき、操作５８にて、空調機は、自身の運転に応じて、フレッシュエアー装置の運転状態を調節する。操作５５にて、室内と室外の温度差が所定の閾値の範囲内にあると判断された場合に、空調機は、操作５６にて、フレッシュエアー装置からの室内へのフレッシュエアーの導入を許容し、かつ、実際の状況に応じて、フレッシュエアーを導入する風量を調節することができる。操作５５にて、室内と室外の温度差が所定の閾値の範囲外となると判断された場合に、空調機は、操作５７にて、フレッシュエアー装置からのフレッシュエアーの導入を禁止して、室内の温度による快適さの低下を防止する。しかし、そのとき、フレッシュエアー装置は、内部巡回モードを用いて、室内の空気を浄化して、空気清浄度を調節することができる。それにより、温度の要求も清浄度の要求も満足することができ、省エネルギーを可能にする。あるいは、操作５８にて、室外の空気清浄度（例えば、ＰＭ２．５濃度値）が所定の閾値の範囲内にあると判断された場合に、空調機は、操作５９にて、フレッシュエアー装置からの室内へのフレッシュエアーの導入を許容するが、室外の空気清浄度（例えば、ＰＭ２．５濃度値）が所定の閾値の範囲外となると判断された場合に、空調機は、操作６０にて、フレッシュエアー装置からのフレッシュエアーの導入を禁止するが、しかし、そのとき、フレッシュエアー装置は、内部巡回モードを用いて、室内の空気を浄化して、空気清浄度を調節することができる。室内と室外の温度差または室外の空気清浄度パラメータに基づき、フレッシュエアーを導入する必要があるか否かを判断し、空気温度、清浄度の要求を満足しつつ、室内と室外の温度差が大きすぎる場合のフレッシュエアー装置からのフレッシュエアーの導入に起因した故障又は室外の空気清浄度がよくない場合のフレッシュエアーの導入に起因したフレッシュエアー装置の寿命の低下を防止することができる。
【００６７】
同様に、制御手段１３０は、室内における汚染物の濃度が限度値に達したことを検出した場合に、フレッシュエアー装置を主処理装置に、空調機を補助処理装置に切り替え、フレッシュエアー装置の運転モードを排風モードまたは換気モードに切り替える。フレッシュエアー装置の運転モードが換気モードである場合に、空調機は、導入したフレッシュエアーの風量に基づき、温度調節量を調節することができる。
【００６８】
空調機が主処理装置として設定された後、空調機の運転モードを優先にして、空調機の運行パラメータに基づき、補助処理装置の運行パラメータを調節する。空調機は、その情報送受信モジュールを介して、補助処理装置の情報送受信モジュールと通信して、補助処理装置の運行パラメータを調節するための連動信号を、補助処理装置に送信してもよい。
【００６９】
制御手段１３０は、設けられた複数の空気処理装置における分散処理手段により構成された場合に、主処理装置における分散制御手段は、実際の制御手段であり、補助処理装置における分散制御手段は動作しない。
【００７０】
空気処理装置１１０は空調機であり、空気処理装置１２０はフレッシュエアー装置、空気清浄機、換気ファンである場合に、季節に応じて、主処理装置を設けてもよい。例えば、冬と夏になると、空調機を主処理装置にして、春と秋になると、空気清浄機を主処理装置にする。空調機の運転状態は、圧縮機周波数、送風温度、風量、送風機回転数などを含んでもよい。 空気清浄機の運転状態は、モードの切り替え（例えば、フレッシュエアーモード、内部巡回モード、排風モード、……）、フレッシュエアーの導入量、排風量、送風機回転数、弁開度などを含んでもよい。それで、季節に応じた主処理装置の設定により、省エネルギーの実現に助かり、空気処理装置の使用寿命を延ばすことにも助かる。
【００７１】
別の実例では。第１種の空気処理装置が空調機であり、第２種の空気処理装置が、フレッシュエアー装置、空気清浄機、換気ファン、および、加湿器/除湿機のうちの１つである。空気品質パラメータは、相応的に、空気温度パラメータ、および、空気湿度パラメータを含む。制御手段１３０は、空気品質パラメータを処理し、処理結果から、室内の空気温度パラメータが所定の範囲外となり、室内の空気清浄度パラメータが所定の範囲内となり、かつ、室内の空気湿度パラメータが所定の範囲内となることが示された場合に、空調機が運行優先度を有するように設定される。すなわち、そのとき、空調機は主処理装置であり、フレッシュエアー装置、空気清浄機、換気ファン、又は、加湿/除湿機が補助処理装置である。他の場合の運行優先度のレベルの設定について、当業者は、実際の必要に応じて決めてもよい。ここでは省略する。
【００７２】
さらに別の実例では、第１種の空気処理装置が空調機であり、第２種の空気処理装置が、フレッシュエアー装置、換気ファンのうちの１つである。制御手段１３０は、室内の空気品質パラメータ及び室外の空気品質パラメータを処理し、処理結果から、室内と室外の温度差が所定の閾値よりも大きいことが示された場合に、空調機は、運行優先度を有するように設定され、処理結果から、室内の空気清浄度が所定の範囲外となり、かつ、室内と室外の温度差が所定の閾値よりも小さいことが示された場合に、フレッシュエアー装置と換気ファンのうちの１つは、運行優先度を有するように設定され、処理結果から、室内と室外の温度差が所定の閾値よりも大きく、かつ、室内の空気清浄度が所定の閾値の範囲外となることが示された場合に、空調機は、運行優先度を有するように設定される。
【００７３】
さらに別の実例では、空気処理装置１１０は、第１の領域に取り付けられており、空気処理装置１２０は、第２の領域に取り付けられている。制御手段１３０の情報収集モジュール１３１は、少なくとも使用者所在領域を含む使用者パラメータを収集してもよい。使用者パラメータは、処理のために、情報処理モジュール１３２に提供される。処理結果から、使用者が第１の領域にいることが示された場合、第１の領域に対応した空気処理装置１１０は、運行優先度を有するように設定されており、処理結果から、使用者が第２の領域にいることが示された場合に、第２の領域に対応した空気処理装置１２０は、運行優先度を有するように設定される。処理結果から、使用者所在領域以外の前記領域に対して空気処理を行う空気処理装置が空調機であることが示された場合に、運行優先度を有する空気処理装置は、当該空調機をオフにするように調節する。例えば、使用者が部屋Ａから部屋Ｂへ移ったことを検出された場合に、主処理装置を、部屋Ａの空気処理装置１１０から、部屋Ｂの空気処理装置１２０へ切り替える。この実例では、情報収集モジュール１３１は、人体検知センサ、ウェアラブル装置などであってもよい。
【００７４】
本実施例では、第１の領域と第２の領域は、調節される空間における相対的に独立した異なる部屋であってもよいし、調節される空間における連通した異なる領域であってもよい。使用者所在領域に応じて、運行優先度を有する空気処理装置である主処理装置を設定し、主処理装置により、各空気処理装置の運行状態が調節される。それで、使用者による快適さへの要求を満足できるように、使用者所在領域の空気品質を調節することができるだけではなく、使用者所在領域以外の空き領域における空気処理装置を調節することもできる。上述したように、使用者が部屋Ａから部屋Ｂへ移った場合に、主処理装置を、部屋Ａの空気処理装置１１０から、部屋Ｂの空気処理装置１２０へ切り替え、空気処理装置１２０は、空気処理装置１１０の運転状態を調節できるようになる。空気処理装置１１０が空調機である場合に、空気処理装置１２０は、空気処理装置１１０をオフにするように調節することができる。空気処理装置１１０が空気清浄機であり、使用者は部屋Ａにはいないが、部屋Ａの空気清浄度に対する要求がある場合に、空気処理装置１２０は、部屋Ａの空気清浄度パラメータに基づき、空気清浄機の運転モードを調節することで、使用者による部屋Ａの空気清浄度への要求を満足し、さらに、使用者による調節される空間全体の空気品質への要求を満足することができる。
【００７５】
しかも、使用者領域には、第３の領域又はさらに多くの領域が含まれてもよい。使用者所在領域および他の領域における空気処理装置の運転状態に対する調節により、使用者所在領域の空気品質への要求を満足することができるほか、調節される空間全体の空気品質を改善することもできる。
【００７６】
さらに別の実例では、情報収集モジュール１３１は、さらに、使用者生体パラメータまたは使用者活動状態を収集し、情報処理モジュール１３２は、生体パラメータ又は使用者活動状態を処理し、運行優先度を有する空気処理装置は、処理結果に基づき、自身の運転状態を調節し、同時に、処理結果に基づき、前記システムにおける残りの空気処理装置の運転状態を調節してもよい。例えば、空調機が運行優先度を有する主処理装置であり、フレッシュエアー装置が補助処理装置である場合に、情報収集モジュール１３１により、使用者の体温が正常値よりも低いことを検出されると、空調機は、排風温度を高くするとともに、フレッシュエアー装置を調節してフレッシュエアーの導入量を低減することができる。あるいは、情報収集モジュール１３１により、使用者の体温が正常値よりも高いことを検出された場合に、空調機は、排風温度を低くするとともに、フレッシュエアー装置を調節してフレッシュエアーの導入量を増加することができる。情報収集モジュール１３１により、使用者が動いている（例えば、走っている）ことを検出された場合に、空調機は、排風温度を低くするとともに、フレッシュエアー装置を調節してフレッシュエアーの導入量を増加することができる。そうすると、特定の状態での使用者による空気品質への要求を満足することができる。
【００７７】
図2は、本開示の第２の実施例に係る空気品質管理システムの構成ブロック図である。図2に示すように、本実施例における空気品質管理システム２００は、空気処理装置２１０ａ、空気処理装置２２０ａ〜２２０ｃ、および制御手段１３０を含んでもよい。前の実施例との相違点は、空気処理装置２２０が４個ある点である。空気処理装置２１０ａ、２２０ａ〜２２０ｃは、それぞれ、空気の温度、湿度、清浄度、流通を調節可能な様々な種類の装置から選ばれてもよい。例えば、空調機、フレッシュエアー装置、空気清浄機、レンジフード、換気ファン、加湿/除湿機などが考えられる。本実施例における各部品は、前の実施例とはほぼ同じであるため、ここには、それらの細部を展開しないようにした。
【００７８】
以下は、本実施例の応用実例を例示する。
空気処理装置は、第１種の空気処理装置２１０と第２種の空気処理装置２２０を含んでもよい。
【００７９】
一実施例では、第１種の空気処理装置２１０は空調機２１０ａであり、調節される空間の温度を調節するために用いられる。第２種の空気処理装置２２０は、室外の新鮮な空気を導入したり、新鮮な空気を発生したり、または、室内の汚れた空気を排出したりするための装置であり、例えば、空気清浄機２２０ａ、レンジフード２２０ｂである。
【００８０】
制御手段１３０の情報収集モジュール１３１により収集された空気品質パラメータは、室内の空気品質パラメータと室外の空気品質パラメータを含んでもよく、室内の空気品質パラメータ及び室外の空気品質パラメータはそれぞれ、空気温度信号と空気清浄度信号を含んでもよい。空気品質パラメータは、処理のために、情報処理モジュール１３２に提供される。処理結果から、室内の空気温度パラメータが所定の範囲外となり、かつ、室内の空気清浄度パラメータが所定の範囲内となることが示された場合に、空調機２１０ａは、運行優先度を有するように設定されており、処理結果から、室外の空気清浄度が所定の閾値の範囲外となり、かつ、室内の空気温度パラメータが所定の範囲内となることが示された場合に、空気清浄機２２０ａは運行優先度を有するように設定されており、処理結果から、室内の煙濃度が所定の閾値範囲の外となることが示された場合に、レンジフードが運行優先度を有するように設定されている。そうすると、調節される空間に亘る空気品質が使用者の要求を満足したことが確保される。
【００８１】
別の実施例では、第１種の空気処理装置が空調機２１０ａであり、第２種の空気処理装置が、空気清浄機２２０ａ(あるいは、フレッシュエアー装置、換気ファン）のうちの１つである。制御手段１３０は、室内の空気品質パラメータ及び室外の空気品質パラメータを処理し、処理結果から、室内と室外の温度差が所定の閾値よりも大きいことが示された場合に、空調機２１０ａは、運行優先度を有するように設定され、処理結果から、室内の空気清浄度が所定の範囲外となり、かつ、室内と室外の温度差が所定の閾値よりも小さいことが示された場合に、空気清浄機２２０ａ（又は、フレッシュエアー装置、換気ファン）のうちの１つは、運行優先度を有するように設定され、処理結果から、室内と室外の温度差が所定の閾値よりも大きく、かつ、室内の空気清浄度が所定の閾値の範囲外となることが示された場合に、空調機は、運行優先度を有するように設定される。
【００８２】
上記の運行優先度はただの例示に過ぎないことが理解できるだろう。他の実例では、第２の運行優先度を有する空気処理装置（例えば、第２の空気処理装置）を設け、第１の運行優先度を有する空気処理装置により、第２の運行優先度を有する空気処理装置の運転状態が調節され、第２の運行優先度を有する空気処理装置により、残りの空気処理装置（例えば、第3の空気処理装置）の運転状態が調節され、残りの空気処理装置が第3の運行優先度を有してもよいように設けることができる。
【００８３】
例えば、レンジフード２２０ｂを第１の運行優先度を有する空気処理装置として設定すると、空気清浄機が第２の運行優先度を有し、空調機が第3の運行優先度を有するようになる。その場合、レンジフード２２０ｂは、自身及び空調機、空気清浄機の運転状態を調節することができる。例えば、煙濃度と室内の温度の変化に応じて、（送風機の回転数、弁開度などを調節することによって）空気清浄機２２０ａからのフレッシュエアーの導入量と排風量を調節し、室内の気圧のバランスを確保し、さらに、フレッシュエアーの導入量に基づき、空調機２１０ａの温度調節量を調節することができる。空気清浄機は、煙濃度と室内の温度の変化及びフレッシュエアーの導入量に基づき、空調機の温度調節量を調節することもできる。異なるレベルの運行優先度を設定することにより、実際の状況に応じて、空気処理装置の運転状態を調節することができ、制御の精度が高くなる。
【００８４】
別の実例では、空気処理装置２１０は空調機２１０ａであり、調節される空間の温度を調節するために用いられる。空気処理装置２２０は、新鮮な空気を発生したり、または、湿度を調節したりするための装置であり、例えば、空気清浄機２２０ａ、加湿/除湿機２２０ｃである。図６に示す本開示に係る空気品質管理方法の１つの例示のように、操作６１にて、空調機２１０ａを主処理装置として設定し、空気清浄機２２０ａ、加湿/除湿機２２０ｃを補助処理装置として設定する。情報収集モジュール１３１は、操作６１〜６３のうちの少なくとも１つの操作を実行することで、室内の温度と湿度と清浄度、室外の温度と清浄度、および、各空気処理装置の運行パラメータのうちの少なくとも１つを収集してもよい。情報処理モジュール１３２は、操作６４にて、室内の温度と湿度と清浄度が、人体の快適な温度と湿度と清浄度の範囲内にあるか否かを分析し、室内の温度と室外の温度との差、および、室外の清浄度と所定の清浄度との差を計算してもよい。情報処理モジュール１３２は、処理結果を空調機２１０ａに提供してもよい。加湿/除湿機２２０ｃの所在領域の湿度が人体の快適な湿度範囲を超えた（高くなったり、低くなったりする）場合に、操作６６にて、空調機２１０ａは、加湿/除湿機２２０ｃに指令を送信し、加湿/除湿機２２０ｃは、その所在領域の湿度を調節して、湿度が人体の快適さへの要求を満足できるようにさせる。調節される空間全体の清浄度が低い場合、例えば、CO2濃度が高い場合に、操作６７にて、排風指令または送風・排風指令を空気清浄機２２０ａに送信することで、調節される空間内の清浄度を、人体の快適さへの要求を満足できるように、させる。
【００８５】
図３は、本開示の第３の実施例に係る空気品質管理システムの構成ブロック図である。図３に示すように、本実施例における空気品質管理システム３００は、空気処理装置３１０（３１０ａ、３１０ｂ）、３２０（３２０ａ、３２０ｂ）、および制御手段１３０を含んでもよい。空気処理装置３１０ａ、３１０ｂ、３２０ａ、３２０ｂは、それぞれ、空気の温度、湿度、清浄度、流通を調節可能な複数種類の装置から選ばれてもよく、空調機、フレッシュエアー装置、空気清浄機、レンジフード、換気ファン、加湿/除湿機などを含んでもよいが、これらに限られていない。添付図面には、空調機３１０ａと空気清浄機３１０ｂ、空調機３２０ａと空気清浄機３２０ｂが例示されている。本実施例における各部品は、前の実施例とはほぼ同じであるため、ここには、それらの細部を展開しないようにした。
【００８６】
一実施例では、空気処理装置は、第１種の空気処理装置３１０と第２種の空気処理装置３２０を含んでもよい。前の実施例と同様に、第１種の空気処理装置と第２種の空気処理装置の種類は、空気処理装置の機能、所在領域などによって決められてもよい。前の実施例との相違点は、２種類の空気処理装置の各々の数が複数であってもよい点である。
【００８７】
以下は、本実施例の応用実例を例示する。
一実施例では、第１種の空気処理装置３１０は、第１の領域に取り付けられており、第２種の空気処理装置３２０は、第２の領域に取り付けられている。制御手段１３０の情報収集モジュール１３１は、少なくとも使用者所在領域を含む使用者パラメータを収集してもよい。使用者パラメータは、処理のために、情報処理モジュール１３２に提供される。処理結果から、使用者が第１の領域にいることが示された場合、第１の領域における空気処理装置３１０である空調機３１０ａは、第１の運行優先度を有するように設定されており、処理結果から、使用者が第２の領域にいることが示された場合に、第２の領域における空気処理装置３２０である空調機３２０ａは、第１の運行優先度を有するように設定される。勿論、前者の場合に、空気清浄機３１０ｂは、第２の運行優先度を有するように設定され、空調機３２０ａと空気清浄機３２０ｂは、第3の運行優先度を有するように設けられてもよく、後者の場合に、逆な設定となってもよい。
【００８８】
好ましい実施例では、処理結果から、使用者所在領域以外の領域（空き領域とも呼ばれる）に対して空気処理を行う空気処理装置が空気清浄機であることが示された場合に、情報収集モジュール１３１は、当該空き領域の空気品質パラメータを収集し、情報処理モジュール１３２は、当該空き領域の空気清浄度パラメータを処理し、空き領域に対する空気清浄度パラメータが所定の範囲内となる場合、運行優先度を有する空気処理装置は、当該空気清浄機をオフにするように調節し、空き領域に対する空気清浄度パラメータが所定の範囲外となる場合、運行優先度を有する空気処理装置は、当該空気清浄機をオンにするように調節する。
【００８９】
本実施例では、第１の領域と第２の領域は、調節される空間における相対的に独立した異なる部屋であってもよいし、調節される空間における連通した異なる領域であってもよい。使用者所在領域に応じて、運行優先度を有する空気処理装置である主処理装置を設定し、主処理装置により、各空気処理装置の運行状態が調節される。それにより、調節される空間全体の空気品質が改善される。それで、使用者による快適さへの要求を満足できるように、使用者所在領域の空気品質を調節することができるだけではなく、使用者による調節される空間全体の空気品質への要求を満足できるように、空き領域における空気処理装置を調節することもできる。
【００９０】
図7は、本開示の一実施例に係る信号のインタラクティブ実施環境である。図7に示すように、１つの空気処理装置の連動方案では、リモコン７３０、空気処理装置７１０、および、空気処理装置７２０に関係する。リモコン７３０は、空気処理装置７１０専用のリモコンであってもよいし、複数種類の空気処理装置を制御可能な汎用リモコンであってもよい。ここで、上記の実施例に従い、空気処理装置７１０が運行優先度を有するように設定され、すなわち、主処理装置として設定されると仮定する。空気処理装置７１０は、リモコン信号を送信して、空気処理装置７２０を制御することができ、空気処理装置７２０は、フィードバック信号を空気処理装置７１０に返送することもできる。勿論、空気処理装置７２０は、運行優先度を有するように設定され、すなわち、主処理装置として設定されてもよい。そのとき、空気処理装置７１０と空気処理装置７２０の役割や配置が交換される。好ましくは、リモコン７３０は、赤外線信号を用いて空気処理装置７１０を制御する。空気処理装置７１０と空気処理装置７２０の間にも、赤外線信号によってインタラクティブ化される。そのような信号の種類について、ハードウェアのアップデートを行う必要がなく、従来の空気処理装置のハードウェア配置が用いられてもよい。そのため、リモコン７３０は、赤外線信号を送信するための送信回路を含んでもよい。空気処理装置７１０は、赤外線信号を送信する送信回路と、赤外線信号を受信する受信回路を含む。空気処理装置７２０も、赤外線信号を送信する送信回路と、赤外線信号を受信する受信回路を含む。
【００９１】
リモコン７３０、空気処理装置７１０および空気処理装置７２０は、他の種類の信号キャリア、例えば、RF信号を用いて、命令を伝送してもよい、ことが理解できるだろう。その代表的なものとして、２．４ＧＨｚ  ＵＨＦ又は５Ｇ  ＳＨＦ  ＩＳＭのＲＦ信号が挙げられる。
【００９２】
空気処理装置７１０は、コントローラを含んでもよく、または、コントローラに接続されてもよい。空気処理装置７１０は、リモコン７３０からの命令を受信すると、制御プロセスを実行するようになっている。制御プロセスによると、空気処理装置７１０は、連動信号を空気処理装置７２０に提供する必要となる可能性がある。コントローラは、図１に示す制御手段であってもよい。
【００９３】
空気処理装置７２０の内部には、コントローラが含まれてもよい。空気処理装置７２０は、連動信号を受信すると、制御プロセスを実行するようになっている。制御プロセスによると、空気処理装置７２０は、フィードバック信号を空気処理装置７１０に返送する必要となる可能性がある。
【００９４】
図８は、本開示の一実施例に係る１つの空気処理装置のインタラクティブ過程の例示である。図８に示すように、ステップＳ８１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、ステップＳ８２において、連動信号を空気処理装置７２０に送信する。ステップＳ８３において、空気処理装置７２０は、連動信号を受信した旨のフィードバック信号を空気処理装置７１０に返送する。相応に、空気処理装置７１０は、必要に応じて、ステップＳ８４において、連動信号を空気処理装置７２０に継続して送信する。……そのように繰り返して、期間ｔ１を経過した後、空気処理装置７１０と空気処理装置７２０との連動が完了する。それで、第２の段階に進む。ステップＳ８５において、リモコン７３０は、リモコン信号を空気処理装置７１０に送信し、空気処理装置７１０は、リモコン７３０からのリモコン信号に含まれた命令に応答して、動作する。ステップＳ８６において、リモコン７３０は、別のリモコン信号を空気処理装置７１０に送信し、空気処理装置７１０は、リモコン７３０からの別のリモコン信号に含まれた命令に応答して、動作する。
【００９５】
図8に示すインタラクティブ過程が好適な場合として考えられるが、実際の応用場面では、使用者は、期間ｔ１内において、空気処理装置７１０からの応答を感じていないので、空気処理装置７１０がリモコン信号をまだ受信していないかと考えるようになり、再操作してしまう可能性がある。あるいは、別の使用者は、その間において、例えば、もう１つのリモコンを操作して、空気処理装置７１０を制御している可能性もある。
【００９６】
図９は、本開示の一実施例に係る別の空気処理装置のインタラクティブ過程の例示である。図９に示すように、ステップＳ９１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、ステップＳ９２において、連動信号を空気処理装置７２０に送信する。ステップＳ９３において、リモコン７３０は、使用者による再操作で、リモコン信号を再送信する。ステップＳ９４において、空気処理装置７２０は、連動信号を受信した旨のフィードバック信号を空気処理装置７１０に返送する。そうすると、空気処理装置７１０は、リモコン７３０及び空気処理装置７２０からの信号を受信するようになっている。その場合、空気処理装置７１０はどのように応答すればよいかが課題となっている。
【００９７】
空気処理装置７１０は、リモコン７３０及び空気処理装置７２０からの信号を受信した場合であっても、当初の所定のプロセスに従うようにさせるために、本開示の実施例では、空気処理装置７１０の内部には、信号の送受信及び信号の衝突を処理するための第１の情報送受信モジュール７１１が設けられている。
【００９８】
図10は、本開示の一実施例に係る情報送受信モジュールの構成図である。図10に示すように、情報送受信モジュール７１１は、空気処理装置７１０または720内に配置されてもよく、リモコン信号を送受信することができる。情報送受信モジュール７１１は、空気処理装置のコントローラ7１２に接続されて、コントローラ7１２からキャリアを受信したり、信号を送信したりすることができ、また、受信した信号をコントローラ7１２に返送することもできる。情報送受信モジュール７１１は、送信回路１０１、受信回路１０２、送信管１０４および、受信管１０５を含んでもよい。送信回路１０１は、送信管１０４に接続されている。受信回路１０２は、受信管１０５に接続されている。空気処理装置７１０について、送信回路１０１は、空気処理装置７１０から空気処理装置７２０への連動信号を送信するように配置されている。空気処理装置７２０について、送信回路１０１は、空気処理装置７２０から空気処理装置７１０へのフィードバック信号を送信することができる。受信回路１０２は、外部信号を受信するために用いられる。受信回路１０２は、信号識別回路１０３を含む。空気処理装置７１０について、信号識別回路１０３は、外部信号が空気処理装置７２０からの連動信号に対するフィードバック信号であるか否かを識別するために用いられてもよい。
【００９９】
図１０に示す実施例では、信号識別回路１０３は、外部信号と連動信号とを照合し、外部信号が連動信号にマッチングした場合に、外部信号がフィードバック信号であると判定し、マッチングしなかった場合には、外部信号がフィードバック信号ではないと判定してもよい。信号識別回路１０３は、送信回路１０１に接続されて、連動信号を受信してもよい。外部信号と連動信号とを照合するときに、信号識別回路１０３は、波形の照合を行うことができる。例を挙げると、外部信号と連動信号は、空気処理装置７１０の識別コードを代表することができる同じ信号ヘッドを有してもよい。信号識別回路１０３は、外部信号と連動信号とを照合したところ、外部信号と連動信号が同じ信号ヘッドを有することが明らかになった場合に、外部信号が、空気処理装置７２０からの連動信号に対するフィードバック信号であると認識している。
【０１００】
信号識別回路１０３は、コントローラ7１２に接続されて、識別結果を出力する。外部信号がフィードバック信号ではない場合に、コントローラ7１２は、空気処理装置７２０が連動信号を受信していないと判定して、送信回路１０１に対して連動信号の再送信を指示するが、外部信号がフィードバック信号である場合に、コントローラ7１２は、空気処理装置７２０が連動信号をすでに受信したと判定して、送信回路１０１に対して別の連動信号の送信を指示する。
【０１０１】
本開示の実施例では、送信回路１０１による隣接した２回の連動信号の送信時間の間には、待ち時間があるため、空気処理装置７２０に対して十分な応答時間を与える。
上述したように、リモコン７３０、空気処理装置７１０、および、空気処理装置７２０の間に伝送される信号、例えば、リモコン信号、連動信号、および、フィードバック信号はそれぞれ、赤外線信号である。
【０１０２】
本実施例では、送信回路１０１は、例えば、送信管１０４の送信デバイスによって、連動信号を送信し、受信回路１０２は、例えば、受信管１０５の受信デバイスによって、外部信号を受信する。
【０１０３】
送信回路１０１とコントローラ7１２の間には、単線インタフェースが用いられてもよい。受信回路１０２とコントローラ7１２の間にも、単線インタフェースが用いられてもよい。
【０１０４】
図１１は、本開示の一実施例に係る情報送受信モジュールの構成図である。図１１に示すように、本実施例と前の実施例との主な相違点は、信号識別回路１０３に入力されたのは、送信回路１０１からの連動信号ではなく、所定の信号であるという点である。信号識別回路１０３は、外部信号と所定の信号とを照合し、外部信号が所定の信号にマッチングした場合に、外部信号がフィードバック信号であると判定し、マッチングしなかった場合には、外部信号がフィードバック信号ではないと判定する。所定の信号はコントローラ7１２からのものであってもよく、他のデバイスからのものであってもよい。
【０１０５】
空気処理装置７１０のコントローラ7１２について、通常は、制御プロセスを実行する過程において、連動信号を情報送受信モジュール７１１に提供する。
【０１０６】
図１２は、本開示の一実施例に係るさらに別の空気処理装置のインタラクティブ過程の例示である。図１２に示すように、ステップＳ１２１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、上記制御プロセスを実行して、ステップＳ１２２において、連動信号を空気処理装置７２０に送信する。しかし、ステップＳ１２３において、リモコン７３０は、使用者による再操作で、リモコン信号を再送信する。その場合に、空気処理装置７１０の情報送受信モジュール７１１は、信号を識別し、外部から受信したリモコン信号が連動信号にマッチングしていないことを認識している場合に、ステップＳ１２４において、連動信号を再送信する。一方では、ステップＳ１２５において、空気処理装置７２０は、連動信号を受信した旨のフィードバック信号を空気処理装置７１０に返送する。その場合に、空気処理装置７１０の情報送受信モジュール７１１は、信号を識別し、外部から受信したフィードバック信号が連動信号にマッチングしていることを認識している場合に、ステップＳ１２６において、別の連動信号を空気処理装置７２０に送信する。そのように繰り返して、期間ｔ１を経過した後、空気処理装置７１０と空気処理装置７２０との連動が完了する。それで、第２の段階に進む。ステップＳ１２７において、リモコン７３０は、リモコン信号を空気処理装置７１０に送信し、空気処理装置７１０は、リモコン７３０からのリモコン信号に含まれた命令に応答して、動作する。ステップＳ１２８において、リモコン７３０は、別のリモコン信号を空気処理装置７１０に送信し、空気処理装置７１０は、リモコン７３０からの別のリモコン信号に含まれた命令に応答して、動作する。
【０１０７】
そのため、情報送受信モジュールによる信号識別及び衝突検出によって、第１種の空気処理装置７１０は、予定通りの制御プロセスに従って作動することができ、処理できない場合を回避した。
【０１０８】
以下は、本開示を図１に示す空気品質管理システムに応用した場面を例として挙げることにした。ここで、空気処理装置１１０が空調機であり、空気処理装置１２０が空気清浄機である場合を例にする。リモコンによる制御で空調機が起動される場合において、空調機が起動の準備状態となるが、しかし、室内の空気がよくないことを検出されたので、空調機は、連動信号を空気清浄機に送信し、空気清浄機による空気浄化を要求して、空気浄化後、空調機は、さらに、設定されたモードで起動して運転する。その場合、空調機は、リモコンからのリモコン信号を再び受信すると、リモコンからのリモコン信号と空気清浄機に送信した連動信号とがマッチングしていないことを検出するようになり、空調機システムは、リモコン信号で示された動作を実行せずに、連動信号を空気清浄機に再送信することとなっている。空調機システムは、空気清浄機からフィードバックされたフィードバック信号を受信すると、そのフィードバック信号と空気清浄機に送信した連動信号とがマッチングしていることを検出するようになり、空調機は、プロセスを継続して実行し、必要に応じて、別の連動信号を空気清浄機に送信することとなっている。期間ｔ１を経過した後、空気清浄機から空調機システムへフォードバックされて、空気の浄化が完成し、空調機は、さらに、設定されたモードで起動して運転する。
【０１０９】
そのため、本実施例における空気処理装置の情報送受信モジュールは、信号識別により、衝突検出を完成することができ、それにより、空気処理装置が所定のプロセスに従って運転することが確保される。
【０１１０】
本開示は、現在の具体的な実施例に従って記載されてきたが、当業者にとって、以上の実施例が本開示を説明するためのものに過ぎず、本開示の趣旨を逸脱しない範囲で種々の等価の変更または代替を行うことができるのを認識しているはずである。従って、本開示の実質上の精神範囲内において、上記実施例を変更、変形したものがいずれも、本願の特許請求の範囲内に入っている。
【０１１１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１１２】
１００          空気品質管理システム
１０１          送信回路
１０２          受信回路
１０３          信号識別回路
１１０          空気処理装置
１１１          情報送受信モジュール
１２０          空気処理装置
１２１          情報送受信モジュール
１３０          制御手段
１３１          情報収集モジュール
１３２          情報処理モジュール
２００          空気品質管理システム
２１０          空気処理装置
２１０ａ        空調機（空気処理装置）
２２０ａ        空気清浄機（空気処理装置）
２２０ｃ        除湿機（空気処理装置）
３００          空気品質管理システム
３１０          空気処理装置
３１０ａ        空調機（空気処理装置）
３１０ｂ        空気清浄機（空気処理装置）
３２０          空気処置装置
３２０ａ        空調機（空気処理装置）
３２０ｂ        空気清浄機（空気処理装置）
７１０          空気処理装置
７１１          情報送受信モジュール
７１２          コントローラ（制御手段）
７２０          空気処理装置
７３０          リモコン（制御手段）
【先行技術文献】
【特許文献】
【０１１３】
【特許文献１】特開２００５−１２１３１６号公報
【図１】
2019131775.tif 000003
【図２】
2019131775.tif 000004
【図３】
2019131775.tif 000005
【図４】
2019131775.tif 000006
【図５】
2019131775.tif 000007
【図６】
2019131775.tif 000008
【図７】
2019131775.tif 000009
【図８】
2019131775.tif 000010
【図９】
2019131775.tif 000011
【図１０】
2019131775.tif 000012
【図１１】
2019131775.tif 000013
【図１２】
2019131775.tif 000014
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
互いに関連付けられた複数の空気処理装置と、
前記複数の空気処理装置のそれぞれに接続され、前記複数の空気処理装置のうちの１つの空気処理装置が運行優先度を有するように設定するための制御手段と、
を備え、
前記制御手段は、使用者パラメータ、空気品質パラメータ、および、前記空気処理装置の運行パラメータのうちの少なくとも１つを収集する情報収集モジュールを備え、
前記制御手段は、前記情報収集モジュールにより収集された情報を処理し、処理結果を取得し、
前記制御手段は、前記処理結果に基づき、前記空気処理装置の運行優先度を設定し、
運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節する、
ことを特徴とする、
空気品質管理システム。
【請求項２】
前記使用者パラメータは、使用者所在領域、使用者生体パラメータ、および、使用者活動状態のうちの１つ以上を含む、
ことを特徴とする、
請求項１に記載の空気品質管理システム。
【請求項３】
前記空気品質パラメータは、空気温度パラメータ、空気清浄度パラメータ、及び、空気湿度パラメータのうちの少なくとも１つを含む、
ことを特徴とする、
請求項１に記載の空気品質管理システム。
【請求項４】
前記制御手段は、前記情報収集モジュールにより収集された情報を処理して、処理結果を取得する情報処理モジュールを備える、
ことを特徴とする、
請求項1に記載の空気品質管理システム。
【請求項５】
前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファンのうちの１つであり、前記空気品質パラメータは、空気温度パラメータ、および、空気清浄度パラメータを含み、
前記制御手段は、前記空気品質パラメータを処理し、
前記処理結果から、室内の空気温度パラメータが所定の範囲外となり、かつ、前記室内の空気清浄度パラメータが所定の範囲内となることが示された場合に、前記第１種の空気処理装置は、運行優先度を有するように設定されており、前記空調機は、前記処理結果に基づき、前記フレッシュエアー装置、空気清浄機、換気ファンのうちの１つの運転状態を調節する、
ことを特徴とする、
請求項１または４に記載の空気品質管理システム。
【請求項６】
前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファン、加湿/除湿機のうちの１つであり、
前記空気品質パラメータは、空気温度パラメータ、空気清浄度パラメータ、および、空気湿度パラメータを含み、
前記制御手段は、前記空気品質パラメータを処理し、
前記処理結果から、室内の空気温度パラメータが所定の範囲外となり、前記室内の空気清浄度パラメータが所定の範囲内となり、かつ、前記室内の空気湿度パラメータが所定の範囲内となることが示された場合に、前記第１種の空気処理装置は、運行優先度を有するように設定されており、
前記第１種の空気処理装置は、前記処理結果に基づき、残りの前記空気処理装置の運転状態を調節する、
ことを特徴とする、
請求項１又は４に記載の空気品質管理システム。
【請求項７】
３つ以上の前記空気処理装置を備え、
前記制御手段は、前記処理結果に基づき、前記３つ以上の空気処理装置のうちの１つの空気処理装置が第１の運行優先度を有するように設定し、
前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、
前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節する、
ことを特徴とする、
請求項１又は４に記載の空気品質管理システム。
【請求項８】
前記複数の空気処理装置は、２つの領域のそれぞれに対して空気処理を行う空気処理装置を、少なくとも２つ含み、
前記情報収集モジュールは、少なくとも使用者所在領域を含む使用者パラメータを収集し、
前記制御手段は、前記使用者パラメータを処理し、
かつ、前記処理結果に基づき、前記使用者所在領域に対応した前記空気処理装置が運行優先度を有するように設定し、
前記運行優先度を有する空気処理装置は、前記処理結果に基づき、複数の前記空気処理装置の運転状態を調節する、
ことを特徴とする、
請求項１に記載の空気品質管理システム。
【請求項９】
前記処理結果から、前記使用者所在領域以外の前記領域に対して空気処理を行う前記空気処理装置が空調機であることが示された場合に、
前記運行優先度を有する空気処理装置は、当該空調機をオフにするように調節する、
ことを特徴とする、
請求項８に記載の空気品質管理システム。
【請求項１０】
前記複数の空気処理装置の各々は、情報送受信モジュールを備え、
前記情報送受信モジュールは、
連動信号とフィードバック信号とを送信するように配置された送信回路と、
外部信号を受信するための受信回路と、
を含み、
前記受信回路は、前記外部信号がフィードバック信号であるか否か、および、前記運行優先度を有する空気処理装置から送信された連動信号を識別するための信号識別回路を含み、
前記運行優先度を有する空気処理装置における前記送信回路は、前記連動信号を残りの前記空気処理装置へ送信し、
前記運行優先度を有する空気処理装置における前記受信回路は、前記外部信号を受信し、その信号識別回路は前記外部信号が残りの前記空気処理装置からの前記フィードバック信号であるか否かを識別する、
ことを特徴とする、
請求項１に記載の空気品質管理システム。
【請求項１１】
前記運行優先度を有する空気処理装置における前記信号識別回路は、さらに、前記空気処理装置における前記送信回路に接続されて、前記連動信号を受信し、
当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する、
ことを特徴とする、
請求項１０に記載の空気品質管理システム。
【請求項１２】
前記運行優先度を有する空気処理装置における前記信号識別回路は、所定の信号を予め設定し、当該信号識別回路は、前記外部信号と前記所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定する、
ことを特徴とする、
請求項１０に記載の空気品質管理システム。
【請求項１３】
前記運行優先度を有する空気処理装置における前記信号識別回路は、前記制御手段に接続されて識別結果を出力し、前記制御手段は、前記識別結果に基づき、前記運行優先度を有する空気処理装置における前記送信回路が前記連動信号を再送信するか否かを指示する、
ことを特徴とする、
請求項１０に記載の空気品質管理システム。
【請求項１４】
前記制御手段は、制御プロセスを実行して、前記運行優先度を有する空気処理装置における前記情報送受信モジュールに前記連動信号を提供し、前記外部信号が前記フィードバック信号である場合、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示する、
ことを特徴とする、
請求項１０に記載の空気品質管理システム。
【請求項１５】
前記運行優先度を有する空気処理装置における前記送信回路による隣接した２回の前記連動信号の送信時間の間には、待ち時間がある、
ことを特徴とする、
請求項１４に記載の空気品質管理システム。
【請求項１６】
請求項１から１５のいずれか１項に記載の空気品質管理システムを備えた空気品質管理方法において、
互いに関連付けられた複数の空気処理装置を提供し、 
前記複数の空気処理装置のそれぞれに接続され、前記複数の空気処理装置のうちの１つの空気処理装置が運行優先度を有するように設定するための制御手段を提供し、
前記制御手段は、使用者パラメータ、空気品質パラメータ、および、前記空気処理装置の運行パラメータのうちの少なくとも１つを収集する情報収集モジュールを備え、
前記制御手段は、前記情報収集モジュールにより収集された情報を処理し、処理結果を取得し、
前記制御手段は、前記処理結果に基づき、前記空気処理装置の運行優先度を設定し、
運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節することを含む、
ことを特徴とする、
空気品質管理方法。
【請求項１７】
前記複数の空気処理装置は、第１種の空気処理装置と第２種の空気処理装置を含み、
前記方法において、
前記制御手段は、前記第１種の空気処理装置が空調機であると判定し、前記第２種の空気処理装置が、フレッシュエアー装置、空気清浄機、換気ファンのうちの１つであると判断し、
前記情報収集モジュールは、室内の空気温度パラメータ、室内の空気清浄度パラメータを収集し、
前記情報処理モジュールは、前記空気品質パラメータを処理し、
前記処理結果から、室内の空気温度パラメータが所定の範囲外となり、かつ、室内の空気清浄度パラメータが所定の範囲内となることが示された場合に、前記制御手段は、前記第１種の空気処理装置が運行優先度を有するように設定し、
前記第１種の空気処理装置は、前記処理結果に基づき、前記第２種の空気処理装置の運転状態を調節し、
前記処理結果から、室内の空気温度パラメータが所定の範囲内となり、かつ、室内の空気清浄度パラメータが所定の範囲外となることが示された場合に、前記制御手段は、前記第２種の空気処理装置が運行優先度を有するように設定し、
前記第２種の空気処理装置は、前記処理結果に基づき、前記第１種の空気処理装置の運転状態を調節することを含む、
ことを特徴とする、
請求項１６に記載の空気品質管理方法。
【請求項１８】
前記複数の空気処理装置は、第１種の空気処理装置と第２種の空気処理装置を含み、
前記方法において、
前記制御手段は、前記第１種の空気処理装置が空調機であると判定し、前記第２種の空気処理装置が、フレッシュエアー装置、空気清浄機、換気ファン、および、加湿器/除湿機のうちの１つであると判断し、
前記情報収集モジュールは、空気温度パラメータ、空気清浄度パラメータ、および、空気湿度パラメータを収集し、
前記制御手段は、前記空気品質パラメータを処理し、
前記処理結果から、室内の空気温度パラメータが所定の範囲外となり、かつ、前記室内の空気清浄度パラメータが所定の範囲内となり、かつ、前記室内の空気湿度パラメータが所定の範囲内となることが示された場合に、前記制御手段は、前記第１種の空気処理装置が運行優先度を有するように設定し、
前記第１種の空気処理装置は、前記処理結果に基づき、残りの前記空気処理装置の運転状態を調節することを含む、
ことを特徴とする、
請求項１６に記載の空気品質管理方法。
【請求項１９】
前記方法において、
３つ以上の前記空気処理装置を備え、
前記制御手段は、前記処理結果に基づき、前記３つ以上の空気処理装置のうちの１つの空気処理装置が第１の運行優先度を有するように設定し、
前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、
前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節することを含む、
ことを特徴とする、
請求項１６に記載の空気品質管理方法。
【請求項２０】
前記方法において、
前記複数の空気処理装置は、２つの領域のそれぞれに対して空気処理を行う空気処理装置を、少なくとも２つ含むように提供し、
前記情報収集モジュールは、使用者所在領域のパラメータを収集し、
前記制御手段は、前記使用者所在領域のパラメータを処理し、
かつ、前記処理結果に基づき、前記使用者所在領域に対応した前記空気処理装置が運行優先度を有するように設定し、
前記運行優先度を有する空気処理装置は、前記処理結果に基づき、複数の前記空気処理装置の運転状態を調節することを含む、
ことを特徴とする、
請求項１６に記載の空気品質管理方法。
【請求項２１】
前記方法において、
前記処理結果から、前記使用者所在領域以外の前記領域に対して空気処理を行う前記空気処理装置が空気清浄機であることが示された場合に、
前記情報収集モジュールは、当該領域の空気品質パラメータを収集し、
前記情報処理モジュールは、当該領域の空気清浄度パラメータを処理し、 
前記使用者所在領域以外の前記領域に対する空気清浄度パラメータが所定の範囲内となる場合、前記運行優先度を有する空気処理装置は、当該空気清浄機をオフにするように調節し、
前記使用者所在領域以外の前記領域に対する空気清浄度パラメータが所定の範囲外となる場合、前記運行優先度を有する空気処理装置は、当該空気清浄機をオンにするように調節することを含む、
ことを特徴とする、
請求項２０に記載の空気品質管理方法。
【請求項２２】
前記方法において、前記情報収集モジュールは、さらに、使用者生体パラメータ、又は、使用者活動状態を収集し、
前記情報処理モジュールは、前記生体パラメータ又は使用者活動状態を処理し、
前記運行優先度を有する空気処理装置は、処理結果に基づき、自身の運転状態を調節し、
同時に、処理結果に基づき、前記システムにおける残りの空気処理装置の運転状態を調節することを含む、
ことを特徴とする、
請求項１６に記載の空気品質管理方法。
【請求項２３】
前記複数の空気処理装置は、第１種の空気処理装置と第２種の空気処理装置を含み、
前記方法において、さらに、
前記制御手段は、前記第１種の空気処理装置が空調機であると判定し、前記第２種の空気処理装置が、フレッシュエアー装置、換気ファンのうちの１つであると判断し、
前記情報収集モジュールは、室内の空気品質パラメータ及び室外の空気品質パラメータを収集し、前記室内の空気品質パラメータ及び室外の空気品質パラメータは、空気温度と空気清浄度を含み、
前記制御手段は、前記室内の空気品質パラメータ及び室外の空気品質パラメータを処理し、
前記処理結果から、室内と室外の温度差が所定の閾値よりも大きいことが示された場合に、前記空調機は、運行優先度を有するように設定され、
前記処理結果から、室内の空気清浄度が所定の範囲外となり、かつ、前記室内と室外の温度差が所定の閾値よりも小さいことが示された場合に、前記フレッシュエアー装置と換気ファンのうちの１つは、運行優先度を有するように設定され、
前記処理結果から、室内と室外の温度差が所定の閾値よりも大きく、かつ、室内の空気清浄度が所定の閾値の範囲外となることが示された場合に、前記空調機は、運行優先度を有するように設定されることを含む、
ことを特徴とする、
請求項１６に記載の空気品質管理方法。
【請求項２４】
前記複数の空気処理装置の各々は、情報送受信モジュールを備え、
前記情報送受信モジュールは、
連動信号とフィードバック信号とを送信するように配置された送信回路と、
外部信号を受信するための受信回路と、を含み、
前記受信回路は、前記外部信号がフィードバック信号であるか否か、および、前記運行優先度を有する空気処理装置から送信された連動信号を識別するための信号識別回路を含み、
前記方法において、さらに、
前記運行優先度を有する空気処理装置における前記送信回路は、前記連動信号を残りの前記空気処理装置へ送信し、
前記運行優先度を有する空気処理装置における前記受信回路は、前記外部信号を受信し、その信号識別回路は前記外部信号が残りの前記空気処理装置からの前記フィードバック信号であるか否かを識別することを含む、
ことを特徴とする、
請求項１６に記載の空気品質管理方法。
【請求項２５】
前記方法において、さらに、
前記運行優先度を有する空気処理装置における前記信号識別回路は、前記連動信号を受信し、
当該信号識別回路は、前記外部信号と前記連動信号とを照合し、
前記外部信号が前記連動信号にマッチングした場合に、前記外部信号が前記フィードバック信号であると判定し、マッチングしなかった場合には、前記外部信号が前記フィードバック信号ではないと判定することを含む、
ことを特徴とする、
請求項２４に記載の空気品質管理方法。
【請求項２６】
前記方法において、さらに、
前記運行優先度を有する空気処理装置における前記信号識別回路は、前記連動信号を受信し、
当該信号識別回路は、前記外部信号と所定の信号とを照合し、
前記外部信号が前記所定の信号にマッチングした場合に、前記外部信号が前記フィードバック信号であると判定し、マッチングしなかった場合には、前記外部信号が前記フィードバック信号ではないと判定することを含む、
ことを特徴とする、
請求項２４に記載の空気品質管理方法。
【請求項２７】
前記方法において、さらに、
前記運行優先度を有する空気処理装置における前記信号識別回路は、識別結果を前記制御手段に出力し、
前記制御手段は、前記識別結果に基づき、前記運行優先度を有する空気処理装置における前記送信回路が前記連動信号を再送信するか否かを指示することを含む、
ことを特徴とする、
請求項２４に記載の空気品質管理方法。
【請求項２８】
前記方法において、さらに、
前記制御手段は、前記運行優先度を有する空気処理装置へ前記連動信号を提供し、
前記外部信号が前記フィードバック信号である場合に、前記制御手段は、前記制御プロセスを継続して実行することで、前記運行優先度を有する空気処理装置における前記送信回路が別の連動信号を送信するように指示し、
前記外部信号が前記フィードバック信号ではない場合に、前記制御手段は、当該送信回路が前記連動信号を再送信するように指示することを含む、
ことを特徴とする、
請求項２４に記載の空気品質管理方法。
【請求項２９】
前記方法において、さらに、
前記情報収集モジュールは、所定の時間間隔で、使用者パラメータ、空気品質パラメータ、前記複数の空気処理装置の運行パラメータのうちの少なくとも１つを収集し、
前記制御手段は、前記情報収集モジュールにより収集された情報を処理し、処理結果を取得し、前記制御手段は、前記処理結果に基づき、運行優先度を有する空気処理装置を切り替えるか否かを選択することを含む、
ことを特徴とする、
請求項１６に記載の空気品質管理方法。
【手続補正２】
【補正対象書類名】明細書
【補正対象項目名】全文
【補正方法】変更
【補正の内容】
【発明の詳細な説明】
【技術分野】
【０００１】
空気品質管理に関し、特に、空気品質管理システム及び方法に関する。
【背景技術】
【０００２】
環境汚染の有害性に対する我々の意識が高まっていることに伴って、空気品質、特に、室内空気品質をどのように高めるか、我々の生活や作業環境をどのように改善するか、は大きな課題となっている。
【０００３】
日常生活では、室内温度を調節するように空調機を部屋内に実装することが普通である。生活水準が高まったことで、実際の環境上の要求に応じて、加湿器、除湿機、フレッシュエアーシステム、換気ファン、空気清浄機などの補助空気処理装置を用いて、室内空気の湿度や清浄度を調節する場合もある。例えば、特許文献１（特開２００５−１２１３１６号公報）を参照されたい。
【０００４】
それらの種々の空気処理装置は、通常に、個別的に運行しているが、そのうちの２つ以上が同時に使用されると、互いに干渉してしまう問題が生じる。
【０００５】
例えば、空調機によって冷房する/暖房する時、フレッシュエアーシステムが室外からフレッシュエアーを導入すると、空調機による冷房/暖房の効果が低下してしまい、無駄なエネルギー消費となっている。使用環境の制限のため、上述した種々の空気処理装置は１つのデバイスとして集成されることが難しい。
【０００６】
しかも、上述した種々の空気処理装置を１つのデバイスとして集成したとしても、生活環境における異なる空間に応じた空気品質への人々の要求を全て、満たすことができるとは考えにくい。
【０００７】
また、複数の部屋がある場合に、その複数の部屋のそれぞれに空調機を個別に実装することが一般的である。使用者の快適性に満足しつつ、省エネルギーを可能にするために、異なる部屋内の空調機及び補助空気処理装置の運行モードをどのように調節すればよいかも、解決すべき課題の一つである。
【発明の概要】
【発明が解決しようとする課題】
【０００８】
種々の空気処理装置の運行モードを協調させて、さらに良い管理効果を取得することができる空気品質管理システム及び方法を提供することが、課題である。
【課題を解決するための手段】
【０００９】
上記の技術的課題を解決するために、本開示は、互いに関連付けられた複数の空気処理装置と、前記複数の空気処理装置のそれぞれに接続され、前記複数の空気処理装置のうちの１つの空気処理装置が運行優先度を有するように設定するための制御手段と、を備え、前記制御手段は、使用者パラメータ、空気品質パラメータ、および、前記空気処理装置の運行パラメータのうちの少なくとも１つを収集する情報収集モジュールを備え、前記制御手段は、前記情報収集モジュールにより収集された情報を処理し、処理結果を取得し、前記制御手段は、前記処理結果に基づき、前記空気処理装置の運行優先度を設定し、運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節する、空気品質管理システムを提供する。
【００１０】
環境における空気品質、使用者パラメータなどに基づき、運行優先度を設定することで、制御の精度が高くなり、そして、運行優先度に応じて、空気処理装置の運転状態を調節することにより、使用者の快適さを確保することに助かる一方で、省エネルギーを可能にし、インテリジェント化の程度が高くなる。
【００１１】
本開示は、使用者パラメータ、空気品質パラメータ、空気処理装置の運行パラメータに基づき、空気処理装置の運行優先度を設定するとともに、空気処理装置の運転状態を調節することにより、制御がインテリジェント化され、調節精度が高くなり、使用者の快適さの要求を満足することができる。
【００１２】
本開示の一実施例では、前記使用者パラメータは、使用者所在領域、使用者生体パラメータ、および、使用者活動状態のうちの１つ以上を含む。
【００１３】
本開示の一実施例では、前記空気品質パラメータは、空気温度パラメータ、空気清浄度パラメータ、および、空気湿度パラメータのうちの少なくとも１つを含む。
【００１４】
本開示の一実施例では、前記制御手段は、前記情報収集モジュールにより収集された情報を処理して、処理結果を取得する情報処理モジュールを備える。
【００１５】
本開示の一実施例では、前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファンのうちの１つであり、前記空気品質パラメータは、空気温度パラメータ、および、空気清浄度パラメータを含み、前記制御手段は、前記空気品質パラメータを処理し、前記処理結果から、室内の空気温度パラメータが所定の範囲外となり、かつ、前記室内の空気清浄度パラメータが所定の範囲内となることが示された場合に、前記第１種の空気処理装置は、運行優先度を有するように設定されており、前記空調機は、前記処理結果に基づき、前記フレッシュエアー装置、空気清浄機、換気ファンのうちの１つの運転状態を調節する。本実施例における空気処理装置は、様々な種類があり、処理結果に基づき、使用者の快適さの要求を満足できるように、異なる種類の空気処理装置を選択することができる。本実施例では、室内の空気温度パラメータと清浄度パラメータに基づき、空気処理装置の運行優先度を設定することにより、制御の精度が高くなり、省エネルギーが可能であり、使用者による空気温度、清浄度への要求をさらに満足することができる。
【００１６】
本開示の一実施例では、前記複数の空気処理装置は、第１種の空気処理装置と第２種の空気処理装置を含み、前記第１種の空気処理装置は、空調機であり、前記第２種の空気処理装置は、フレッシュエアー装置、空気清浄機、換気ファン、加湿/除湿機のうちの１つであり、前記空気品質パラメータは、空気温度パラメータ、空気清浄度パラメータ、および、空気湿度パラメータを含み、前記制御手段は、前記空気品質パラメータを処理し、前記処理結果から、室内の空気温度パラメータが所定の範囲外となり、前記室内の空気清浄度パラメータが所定の範囲内となり、かつ、前記室内の空気湿度パラメータが所定の範囲内となることが示された場合に、前記第１種の空気処理装置は、運行優先度を有するように設定されており、前記第１種の空気処理装置は、前記処理結果に基づき、残りの前記空気処理装置の運転状態を調節する。本実施例では、空気温度パラメータ、湿度パラメータ、および清浄度パラメータに対する総合的な考慮を基にして、空気処理装置の運行優先度を設定することにより、制御の精度が高くなり、省エネルギーが可能となる。
【００１７】
本開示の一実施例では、３つ以上の前記空気処理装置を備え、前記制御手段は、前記処理結果に基づき、前記３つ以上の空気処理装置のうちの１つの空気処理装置が第１の運行優先度を有するように設定し、前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節する。本実施例では、複数の空気処理装置に対して、レベルごとに、優先度レベルを運行することにより、実際の状況に応じた空気処理を行うことができ、使用者による空気品質への要求を満足し、制御の制度が高く、省エネルギーが可能となる。
【００１８】
本開示の一実施例では、前記複数の空気処理装置は、２つの領域のそれぞれに対して空気処理を行う空気処理装置を、少なくとも２つ含み、前記情報収集モジュールは、少なくとも使用者所在領域を含む使用者パラメータを収集し、前記制御手段は、前記使用者パラメータを処理し、かつ、前記処理結果に基づき、前記使用者所在領域に対応した前記空気処理装置が運行優先度を有するように設定し、前記運行優先度を有する空気処理装置は、前記処理結果に基づき、複数の前記空気処理装置の運転状態を調節する。本実施例では、使用者所在領域に応じて、空気処理装置の運行優先度を設定することにより、省エネルギーが可能となりつつ、使用者による要求をさらに満足することができる。
【００１９】
本開示の一実施例では、前記処理結果から、前記使用者所在領域以外の前記領域に対して空気処理を行う前記空気処理装置が空調機であることが示された場合に、前記運行優先度を有する空気処理装置は、当該空調機をオフにするように調節する。それにより、省エネルギーが可能となる。
【００２０】
本開示の一実施例では、前記複数の空気処理装置の各々は、情報送受信モジュールを備え、前記情報送受信モジュールは、連動信号とフィードバック信号とを送信するように配置された送信回路と、外部信号を受信するための受信回路と、を含み、前記受信回路は、前記外部信号がフィードバック信号であるか否か、および、前記運行優先度を有する空気処理装置から送信された連動信号を識別するための信号識別回路を含み、前記運行優先度を有する空気処理装置における前記送信回路は、前記連動信号を残りの前記空気処理装置へ送信し、前記運行優先度を有する空気処理装置における前記受信回路は、前記外部信号を受信し、その信号識別回路は前記外部信号が残りの前記空気処理装置からの前記フィードバック信号であるか否かを識別する。それにより、信号識別によるフィードバック信号への検出を実現することができ、空気処理装置が所定のプロセスに従って運行することが確保される。
【００２１】
本開示の一実施例では、前記運行優先度を有する空気処理装置における前記信号識別回路は、さらに、前記運行優先度を有する空気処理装置における前記送信回路に接続されて、前記連動信号を受信し、当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する。それにより、信号識別によるフィードバック信号への検出を実現することができ、空気処理装置が所定のプロセスに従って運行することが確保される。
【００２２】
本開示の一実施例では、前記運行優先度を有する空気処理装置における前記信号識別回路は、所定の信号を予め設定し、当該信号識別回路は、前記外部信号と前記所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定する。
【００２３】
本開示の一実施例では、前記運行優先度を有する空気処理装置における前記信号識別回路は、前記制御手段に接続されて識別結果を出力し、前記制御手段は、前記識別結果に基づき、前記運行優先度を有する空気処理装置における前記送信回路が前記連動信号を再送信するか否かを指示する。
【００２４】
本開示の一実施例では、前記制御手段は、制御プロセスを実行して、前記運行優先度を有する空気処理装置における前記情報送受信モジュールに前記連動信号を提供し、前記外部信号が前記フィードバック信号である場合、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示する。信号識別により、連動信号が成功に送信されたか否かを判断することができる。
【００２５】
本開示の一実施例では、前記運行優先度を有する空気処理装置における前記送信回路による隣接した２回の前記連動信号の送信時間の間には、待ち時間がある。それにより、２回のそれぞれに送信された連動信号間に衝突が発生するのを防止することができる。
【００２６】
本開示は、さらに、互いに関連付けられた複数の空気処理装置を提供し、前記複数の空気処理装置のそれぞれに接続され、前記複数の空気処理装置のうちの１つの空気処理装置が運行優先度を有するように設定するための制御手段を提供し、前記制御手段は、使用者パラメータ、空気品質パラメータ、および、前記空気処理装置の運行パラメータのうちの少なくとも１つを収集する情報収集モジュールを備え、前記制御手段は、前記情報収集モジュールにより収集された情報を処理し、処理結果を取得し、前記制御手段は、前記処理結果に基づき、前記空気処理装置の運行優先度を設定し、運行優先度を有するように設定された前記空気処理装置は、前記処理結果に基づき、自身の運転状態を調節し、同時に、前記運行優先度を有する空気処理装置は、前記処理結果に基づき、前記システムにおける残りの前記空気処理装置の運転状態を調節することを含む、空気品質管理方法を提供する。環境における空気品質、使用者パラメータなどに基づき、運行優先度を設定することで、制御の精度が高くなり、そして、運行優先度に応じて、空気処理装置の運転状態を調節することにより、使用者の快適さを確保することに助かる一方で、省エネルギーを可能にし、インテリジェント化の程度が高くなる。
【００２７】
本開示の一実施例では、前記複数の空気処理装置は、第１種の空気処理装置と第２種の空気処理装置を含み、前記方法において、前記制御手段は、前記第１種の空気処理装置が空調機であると判定し、前記第２種の空気処理装置が、フレッシュエアー装置、空気清浄機、換気ファンのうちの１つであると判断し、前記情報収集モジュールは、室内の空気温度パラメータ、室内の空気清浄度パラメ−タを収集し、前記情報処理モジュールは、前記空気品質パラメータを処理し、前記処理結果から、室内の空気温度パラメータが所定の範囲外となり、かつ、室内の空気清浄度パラメータが所定の範囲内となることが示された場合に、前記制御手段は、前記第１種の空気処理装置が運行優先度を有するように設定し、前記第１種の空気処理装置は、前記処理結果に基づき、前記第２種の空気処理装置の運転状態を調節し、前記処理結果から、室内の空気温度パラメータが所定の範囲内となり、かつ、室内の空気清浄度パラメータが所定の範囲外となることが示された場合に、前記制御手段は、前記第２種の空気処理装置が運行優先度を有するように設定し、前記第２種の空気処理装置は、前記処理結果に基づき、前記第１種の空気処理装置の運転状態を調節することを含む。本実施例では、室内の空気温度パラメータと清浄度パラメータに基づき、空調機、フレッシュエアー装置、および、空気清浄機の運行優先度を設定することにより、実際の環境要求に応じて、室内の空気温度及び清浄度を調節することができ、使用者による空気温度、清浄度への要求を同時に満足できることを確保し、制御の精度が高くなるだけではなく、省エネルギーが可能となる。
【００２８】
本開示の一実施例では、前記複数の空気処理装置は、第１種の空気処理装置と第２種の空気処理装置を含み、前記方法において、前記制御手段は、前記第１種の空気処理装置が空調機であると判定し、前記第２種の空気処理装置が、フレッシュエアー装置、空気清浄機、換気ファン、および、加湿器/除湿機のうちの１つであると判断し、前記情報収集モジュールは、空気温度パラメータ、空気清浄度パラメータ、および、空気湿度パラメータを収集し、前記制御手段は、前記空気品質パラメータを処理し、前記処理結果から、室内の空気温度パラメータが所定の範囲外となり、かつ、前記室内の空気清浄度パラメータが所定の範囲内となり、かつ、前記室内の空気湿度パラメータが所定の範囲内となることが示された場合に、前記制御手段は、前記第１種の空気処理装置が運行優先度を有するように設定し、前記第１種の空気処理装置は、前記処理結果に基づき、残りの前記空気処理装置の運転状態を調節する。本実施例では、空気温度パラメータ、清浄度パラメータ、および湿度パラメータに対する総合的な考慮を基にして、空気処理装置の運行優先度を設定することにより、使用者による空気温度、清浄度及び湿度への要求を同時に満足できることを確保し、制御の精度が高くなるだけではなく、省エネルギーが可能となる。
【００２９】
本開示の一実施例では、前記方法において、３つ以上の前記空気処理装置を備え、前記制御手段は、前記処理結果に基づき、前記３つ以上の空気処理装置のうちの１つの空気処理装置が第１の運行優先度を有するように設定し、前記第１の運行優先度を有する空気処理装置は、前記処理結果に基づき、前記３つ以上の空気処理装置の運転状態を調節し、かつ、前記処理結果に基づき、前記３つ以上の空気処理装置における残りの前記空気処理装置のうちの１つが第２の運行優先度を有するように設定し、前記第２の運行優先度を有する空気処理装置は、前記処理結果に基づき、前記３つ以上の空気処理装置のうち、前記第１の運行優先度を有する空気処理装置以外の残りの前記空気処理装置の運転状態を調節することを含む。本実施例では、複数の空気処理装置に対して、レベルごとに、優先度レベルを運行することにより、実際の状況に応じた空気処理を行うことができ、使用者による空気品質への要求を満足し、制御の制度が高く、省エネルギーが可能となる。
【００３０】
本開示の一実施例では、前記方法において、前記複数の空気処理装置は、２つの領域のそれぞれに対して空気処理を行う空気処理装置を、少なくとも２つ含むように提供し、前記情報収集モジュールは、使用者所在領域のパラメータを収集し、前記制御手段は、前記使用者所在領域のパラメータを処理し、かつ、前記処理結果に基づき、前記使用者所在領域に対応した前記空気処理装置が運行優先度を有するように設定し、前記運行優先度を有する空気処理装置は、前記処理結果に基づき、複数の前記空気処理装置の運転状態を調節することを含む。使用者所在領域における空気処理装置は、複数の空気処理装置の運転状態を調節することにより、使用者所在領域の空気品質が使用者による要求を満足できるようにするだけではなく、他の領域における空気処理装置を調節することにより、省エネルギーの効果を実現することもできる。
【００３１】
本開示の一実施例では、前記方法において、前記処理結果から、前記使用者所在領域以外の前記領域に対して空気処理を行う前記空気処理装置が空気清浄機であることが示された場合に、前記情報収集モジュールは、当該領域の空気品質パラメータを収集し、前記情報処理モジュールは、当該領域の空気清浄度パラメータを処理し、前記使用者所在領域以外の前記領域に対する空気清浄度パラメータが所定の範囲内となる場合、前記運行優先度を有する空気処理装置は、当該空気清浄機をオフにするように調節し、前記使用者所在領域以外の前記領域に対する空気清浄度パラメータが所定の範囲外となる場合、前記運行優先度を有する空気処理装置は、当該空気清浄機をオンにするように調節することを含む。
【００３２】
本開示の一実施例では、前記方法において、前記情報収集モジュールは、さらに、使用者生体パラメータ、および、使用者活動状態を収集し、前記情報処理モジュールは、前記生体パラメータ又は使用者活動状態を処理し、前記運行優先度を有する空気処理装置は、処理結果に基づき、自身の運転状態を調節し、同時に、処理結果に基づき、前記システムにおける残りの空気処理装置の運転状態を調節することを含む。本実施例では、使用者生体パラメータ又は使用者活動状態パラメータに基づき、空気処理装置の優先度を設定することにより、使用者による異なる生体または状態での空気品質への要求をさらに満足することができ、制御の精度が高くなる。
【００３３】
本開示の一実施例では、前記複数の空気処理装置は、第１種の空気処理装置と第２種の空気処理装置を含み、前記方法において、さらに、前記制御手段は、前記第１種の空気処理装置が空調機であると判定し、前記第２種の空気処理装置が、フレッシュエアー装置、換気ファンのうちの１つであると判断し、前記情報収集モジュールは、室内の空気品質パラメータ及び室外の空気品質パラメータを収集し、前記室内の空気品質パラメータ及び室外の空気品質パラメータは、空気温度と空気清浄度を含み、前記制御手段は、前記室内の空気品質パラメータ及び室外の空気品質パラメータを処理し、前記処理結果から、室内と室外の温度差が所定の閾値よりも大きいことが示された場合に、前記空調機は、運行優先度を有するように設定され、前記処理結果から、室内の空気清浄度が所定の範囲外となり、かつ、前記室内と室外の温度差が所定の閾値よりも小さいことが示された場合に、前記フレッシュエアー装置と換気ファンのうちの１つは、運行優先度を有するように設定され、前記処理結果から、室内と室外の温度差が所定の閾値よりも大きく、かつ、室内の空気清浄度が所定の閾値の範囲外となることが示された場合に、前記空調機は、運行優先度を有するように設定されることを含む。本実施例における判断条件によれば、制御の制度がさらに高くなり、更なる省エネルギーを実現することができる。
【００３４】
本開示の一実施例では、前記複数の空気処理装置の各々は、情報送受信モジュールを備え、前記情報送受信モジュールは、連動信号とフィードバック信号とを送信するように配置された送信回路と、外部信号を受信するための受信回路と、を含み、前記受信回路は、前記外部信号がフィードバック信号であるか否か、および、前記運行優先度を有する空気処理装置から送信された連動信号を識別するための信号識別回路を含み、前記方法において、さらに、前記運行優先度を有する空気処理装置における前記送信回路は、前記連動信号を残りの前記空気処理装置へ送信し、前記運行優先度を有する空気処理装置における前記受信回路は、前記外部信号を受信し、その信号識別回路は前記外部信号が残りの前記空気処理装置からの前記フィードバック信号であるか否かを識別することを含む。信号識別によるフィードバック信号への検出を実現することができ、空気処理装置が所定のプロセスに従って運行することが確保される。
【００３５】
本開示の一実施例では、前記方法において、さらに、前記運行優先度を有する空気処理装置における前記信号識別回路は、前記連動信号を受信し、当該信号識別回路は、前記外部信号と前記連動信号とを照合し、前記外部信号が前記連動信号にマッチングした場合に、前記外部信号が前記フィードバック信号であると判定し、マッチングしなかった場合には、前記外部信号が前記フィードバック信号ではないと判定する。
【００３６】
本開示の一実施例では、前記方法において、さらに、前記運行優先度を有する空気処理装置における前記信号識別回路は、前記連動信号を受信し、当該信号識別回路は、前記外部信号と所定の信号とを照合し、前記外部信号が前記所定の信号にマッチングした場合に、前記外部信号が前記フィードバック信号であると判定し、マッチングしなかった場合には、前記外部信号が前記フィードバック信号ではないと判定することを含む。
【００３７】
本開示の一実施例では、前記方法において、さらに、前記運行優先度を有する空気処理装置における前記信号識別回路は、識別結果を前記制御手段に出力し、前記制御手段は、前記識別結果に基づき、前記運行優先度を有する空気処理装置における前記送信回路が前記連動信号を再送信するか否かを指示することを含む。
【００３８】
本開示の一実施例では、前記方法において、さらに、前記制御手段は、前記運行優先度を有する空気処理装置へ前記連動信号を提供し、前記外部信号が前記フィードバック信号である場合に、前記制御手段は、前記制御プロセスを継続して実行することで、前記運行優先度を有する空気処理装置における前記送信回路が別の連動信号を送信するように指示し、前記外部信号が前記フィードバック信号ではない場合に、前記制御手段は、当該送信回路が前記連動信号を再送信するように指示することを含む。
【００３９】
本開示の一実施例では、前記方法において、さらに、前記情報収集モジュールは、所定の時間間隔で、使用者パラメータ、空気品質パラメータ、前記複数の空気処理装置の運行パラメータのうちの少なくとも１つを収集し、前記制御手段は、前記情報収集モジュールにより収集された情報を処理し、処理結果を取得し、前記制御手段は、前記処理結果に基づき、運行優先度を有する空気処理装置を切り替えるか否かを選択することを含む。
従来技術と比べて、本開示における空気品質管理システム及び方法では、運行優先度を有するように設定された空気処理装置は、情報の処理結果に基づき、自身の運転状態及び残りの処理装置の運転状態を調節することができ、使用者の快適さを確保しつつ、省エネルギーを可能にする一方で、空気処理装置及びその部品の使用寿命を延ばすことに助かり、制御の精度を高くすることにも有利的であり、インテリジェント化の程度が高くなる。
【図面の簡単な説明】
【００４０】
【図１】本開示の第１の実施例に係る空気品質管理システムの構成ブロック図である。
【図２】本開示の第２の実施例に係る空気品質管理システムの構成ブロック図である。
【図３】本開示の第３の実施例に係る空気品質管理システムの構成ブロック図である。
【図４】本開示の第１の実施例に係る空気品質管理方法のフローチャートである。
【図５】本開示に係る空気品質管理方法の１つの例示である。
【図６】本開示に係る空気品質管理方法の別の例示である。
【図７】本開示の一実施例に係る信号のインタラクティブ実施環境である。
【図８】本開示の一実施例に係る１つの空気処理装置のインタラクティブ過程の例示である。
【図９】本開示の一実施例に係る別の空気処理装置のインタラクティブ過程の例示である。
【図１０】本開示の一実施例に係る情報送受信モジュールの構成図である。
【図１１】本開示の別の一実施例に係る情報送受信モジュールの構成図である。
【図１２】本開示の一実施例に係るさらに別の空気処理装置のインタラクティブ過程の例示である。
【発明を実施するための形態】
【００４１】
本開示の上記目的、特徴及び利点をさらに分かりやすくするために、以下は、添付図面を結び付けながら、本開示の具体的な実施の形態を詳しく説明する。
【００４２】
本開示を十分に理解してもらいたいために、以下の記載には、複数の具体的な細部が説明されているが、しかし、本開示は、ここの記載とは異なる他の方式により、実施されてもよいので、本開示は、以下の開示の具体的な実施例によって制限されていない。
【００４３】
本願及び特許請求の範囲に示されたように、上下文脈には例外の場合が明確に提示されていることを除外して、「一」、「１種」、および/又は「当該」などの言葉は、特に単数を示すものではなく、複数を示す場合もある。一般的には、用語である「含む」と「含有」は、既に明確に標識したステップ及び要素が含まれることのみを提示し、それらのステップ及び要素は、１つの排他的な配列を構成しなく、方法又は機器には、他のステップまたは要素が含まれてもよい。
【００４４】
本開示の実施例に記載の室内の空気品質管理システム及び方法によれば、複数種類の空気処理装置の運行モードを調節することができ、異なる空間に対する使用者の空気品質への要求を満足することができるほか、省エネルギーを可能にする。
【００４５】
図１は、本開示の第１の実施例に係る空気品質管理システムの構成ブロック図である。図１に示すように、本実施例における空気品質管理システム１００は、空気処理装置１１０、空気処理装置１２０、および制御手段１３０を含んでもよい。空気処理装置１１０と空気処理装置１２０は、それぞれ、空気の温度、湿度、清浄度、流通を調節可能な複数種類の装置であってもよく、空調機、フレッシュエアー装置、空気清浄機、レンジフード、換気ファン、加湿/除湿機などを含んでもよいが、これらに限られていない。図１には、２つの空気処理装置が例示されているが、空気処理装置の数がさらに多くなってもよいことも理解できるだろう。空気処理装置１１０と空気処理装置１２０は互いに紐づけられている。少なくとも１つのモードでは、空気処理装置１１０と空気処理装置１２０は、互いに協力して作動する。空気品質管理システム１００には、空気処理装置１１０と空気処理装置１２０が互いに個別に作動するというもう１つのモードが存在してもよいことが理解できるだろう。空気処理装置１１０と空気処理装置１２０は、同じ種類の空気処理装置であってもよく、異なる種類の空気処理装置であってもよい。また、空気処理装置１１０と空気処理装置１２０は、調節される空間における同一の領域に設けられてもよく、調節される空間における異なる領域に設けられてもよい。
【００４６】
本開示の上下文脈からすると、調節される空間は室内領域であってもよく、半開放領域または室外領域であってもよい。
【００４７】
制御手段１３０は、空気処理装置１１０内に設けられてもよく、空気処理装置１２０に設けられてもよく、又は、個別に設けられてもよい。個別に設けられた場合に、制御手段１３０は、調節される空間内の任意の位置に位置してもよい。その代わりに、各空気処理装置において、分散式制御手段を設けてもよい。それらの分散式制御手段はインタラクティブなものであり、本実施例における制御手段１３０を構成した。
【００４８】
制御手段１３０は、空気処理装置１１０と空気処理装置１２０にそれぞれ、接続されている。制御手段１３０と、空気処理装置１１０および空気処理装置１２０のそれぞれとの接続方式として、有線であってもよいし、無線であってもよい。有線方式には、金属ケーブル、光ファイバケーブル、ハイブリットケーブル、インタフェースなどの使用を含み、又は、それらの使用の任意の組み合わせを含んでもよい。無線方式には、ローカルエリアネットワーク（ＬＡＮ）、ワイドエリアネットワーク（ＷＡＮ）、Ｂｌｕｅｔｏｏｔｈ、ＺｉｂＢｅｅなどの使用を含み、又は、それらの使用の任意の組み合わせを含んでもよい。制御手段１３０の実例として、リモコン、ワイヤードリモコン、インテリジェント端末などが挙げられる。
【００４９】
空気処理装置１１０は、情報を送受信するための情報送受信モジュール１１１を含んでもよい。空気処理装置１２０は、情報を送受信するための情報送受信モジュール１２１を含んでもよい。
【００５０】
本開示の上下文脈からすると、制御手段は、空気処理装置１１０と１２０のうちの１つが運行優先度を有するように設定してもよい。そうすると、運行優先度を有するように設定された空気処理装置は、使用者により制御されているが、運行優先度を有しない他の空気処理装置は、運行優先度を有する空気処理装置からの指令を受けなければならない。
【００５１】
本開示の上下文脈からすると、運行優先度は、さらに、複数のレベルに分けられてもよい。各空気処理装置１１０、１２０は、作動上に、異なる運行優先度のレベルを有してもよい。制御手段により、空気処理装置１１０と空気処理装置１２０の運行優先度のレベルが設定された後、運行優先度のレベルが高ければ高いほど、空気処理装置の作動上の独立性が高くなるが、運行優先度のレベルが低ければ低いほど、空気処理装置の作動上の独立性が低くなり、他の空気処理装置の作動と協働しなければならない。例えば、第１の運行優先度が第２の運行優先度よりも高いと仮定する。第１の運行優先度は、使用者しか制御できないものであり、第２の運行優先度により制御されていないが、第２の運行優先度の作動は、使用者と第１の運行優先度の両方により制御されている。以降は、これによって類推する。
【００５２】
一実施例では、使用者による空気処理装置の運行優先度または運行優先度のレベルへの手動的な設定が許容されてもよい。
【００５３】
制御手段１３０は、空気処理装置１１０と空気処理装置１２０のうちの１つが運行優先度を有するように設定するために用いられてもよい。さらに具体的にいうと、制御手段１３０は、情報収集モジュール１３１と情報処理モジュール１３２を備えてもよい。情報収集モジュール１３１は、使用者パラメータ、空気品質パラメータ、空気処理装置１１０の運行パラメータ、および、空気処理装置１２０の運行パラメータのうちの少なくとも１つを収集してもよい。
【００５４】
情報処理モジュール１３２は、収集されたパラメータを処理し、処理結果を取得し、処理結果に基づき、空気処理装置１１０、１２０のうちの１つの運行優先度を設定する。制御手段１３０の内部構造は単に例示的なものに過ぎず、情報収集及び情報処理機能を実現できる制御手段１３０であれば、本開示の実施範囲に入っていることが理解できるだろう。
【００５５】
運行優先度を有するように設定された空気処理装置は、上記処理結果に基づき、自身の運転状態を調節し、同時に、運行優先度を有する空気処理装置は、上記処理結果に基づき、システム１００における残りの空気処理装置の運転状態を調節する。以下では、運行優先度を有する空気処理装置を主処理装置と、他の空気処理装置を補助処理装置と、呼ぶことにした。
【００５６】
本実施例では、運行優先度を有するように設定された主処理装置は、情報の処理結果に基づき、自身の運転状態及び補助処理装置の運転状態を調節することができ、使用者の快適さを確保しつつ、省エネルギーを可能にする一方で、空気処理装置及びその部品の使用寿命を延ばすことに助かる。
【００５７】
図４は、本開示の第１の実施例に係る空気品質管理方法のフローチャートである。図１と図４に示されたように、情報収集モジュール１３１は、操作４１〜４３のうちの少なくとも１つの操作を実行することで、室内の温度、湿度、清浄度、室外の温度、清浄度、および、各処理装置の運行パラメータのうちの少なくとも１つを収集してもよい。情報処理モジュール１３２は、操作４４にて、室内の温度、湿度、清浄度が人体の快適な温度、湿度、清浄度の範囲内にあるか否かを分析し、室内の温度と室外の温度との差、および、室外の清浄度と所定の清浄度との差を計算してもよい。情報処理モジュール１３２は、処理結果を主処理装置に提供してもよい。操作４５にて、主処理装置は、分析結果に基づき、自身の運転モードと補助処理装置の運転モードを調節してもよい。従って、本実施例では、室内の温度、湿度と清浄度、室外の温度と清浄度、および、各処理装置の運行パラメータを総合的に分析することで、運行優先度を有する空気処理装置である主処理装置を設定し、かつ、主処理装置により、各空気処理装置の運転モードを調節する。それにより、調節される空間内の空気温度、湿度と清浄度を総合的に調節することができ、さらに、使用者の快適さを確保しつつ、省エネルギーを可能にする。しかも、主処理装置では、分析結果に基づき、自身の運転モードと補助処理装置の運転モードを調節することができ、使用者が自分で各空気処理装置の運転状態、運行パラメータを設定する必要がないので、使用者による操作の利便性の向上に助かり、インテリジェント化の程度が高くなる。
【００５８】
本開示の上下文脈からすると、使用者パラメータは、使用者所在領域、使用者生体パラメータ、および、使用者活動状態のうちの１つ以上を含んでもよい。領域の角度からすると、空気品質パラメータは、室内の空気品質パラメータと室外の空気品質パラメータのうちの少なくとも１つを含んでもよい。種類の角度からすると、空気品質パラメータは、空気清浄度パラメータを含んでもよく、空気清浄度パラメータは、ＣＯ２濃度、PM2.5濃度、 ホルムアルデヒド濃度、煙、臭気のうちの少なくとも１つを含んでもよい。空気処理装置の運行パラメータは、運行モード、圧縮機周波数、送風温度、風量、送風機回転数のうちの少なくとも１つを含んでもよい。
【００５９】
情報収集モジュール１３１の実例として、種々のセンサと通信手段との組み合わせであってもよい。センサは、例えば、温度センサ、湿度センサ、ＰＭ２．５センサ、ＣＯ２センサ、ホルムアルデヒドセンサ、ＳＯＸセンサなどを含んでもよい。通信手段は、例えば、ブルートゥース通信手段、ＷＩＦＩ通信手段などを含んでもよい。
【００６０】
以下は、本実施例のいくつかの応用実例を例示する。
【００６１】
空気処理装置は、第１種の空気処理装置と第２種の空気処理装置を含んでもよい。
【００６２】
一実施例では、第１種の空気処理装置（例えば、空気処理装置１１０）は空調機であり、調節される空間の温度を調節するために用いられる。第２種の空気処理装置（例えば、空気処理装置１２０）は、室外の新鮮な空気を導入したり、新鮮な空気を発生したり、または、室内の汚れた空気を排出したりする装置であり、例えば、フレッシュエアー装置、空気清浄機、又は、換気ファンなどである。
【００６３】
制御手段１３０の情報収集モジュール１３１により収集された空気品質パラメータは、室内の空気品質パラメータと室外の空気品質パラメータを含んでもよく、室内の空気品質パラメータ及び室外の空気品質パラメータはそれぞれ、空気温度パラメータと空気清浄度パラメータを含んでもよい。空気品質パラメータは、処理のために、情報処理モジュール１３２に提供される。処理結果から、室内の空気温度パラメータが所定の範囲外となり、かつ、室内の空気清浄度パラメータが所定の範囲内となることが示された場合に、空調機は、第１の運行優先度を有するように設定されており、処理結果から、室外の空気清浄度が所定の閾値の範囲外となることが示された場合に、フレッシュエアー装置、空気清浄機、または、換気ファンは、運行優先度を有するように設定されている。ここで、運行優先度を有する空気処理装置を主処理装置と、運行優先度を有しない、または、さらに低いレベルの運行優先度（例えば、第２の運行優先度、第3の運行優先度など）を有する空気処理装置を補助処理装置と、呼ぶことにした。主処理装置は、使用者により制御されてもよいが、補助処理装置は、使用者により制御されているほか、主処理装置による調節も受けることとなる。逆に、主処理装置は、補助処理装置による調節を受けないこととなる。
例えば、空調機を主処理装置に、空気清浄機を補助処理装置に設定すると、省エネルギーの要求を満足するために、空気清浄機において通常的な浄化モードが採用されている。
【００６４】
制御手段１３０により、室内におけるタバコなどによる汚染物の濃度が限度値に達したことを検出された場合に、空気清浄機を主処理装置として切り替え、空気清浄機の運転モードを強力的な浄化モードに切り替える。調節される空間における空気品質の変化状況に応じて、主処理装置を切り替えることにより、調節される空間における空気品質を効率的に改善することができるだけではなく、省エネルギーを実現することもできる。
【００６５】
また、たとえば、図５に示す本開示に係る空気品質管理方法の１つの例示のように、操作５０にて、空調機を主処理装置として設定し、フレッシュエアー装置を補助処理装置として設定する。情報収集モジュール１３１は、操作５１〜５３のうちの少なくとも１つの操作を実行することで、室内の温度と湿度と清浄度、室外の温度と清浄度、および、各空気処理装置の運行パラメータのうちの少なくとも１つを収集してもよい。情報処理モジュール１３２は、操作５４にて、室内の温度と湿度と清浄度が人体の快適な温度と湿度と清浄度の範囲内にあるか否かを分析し、室内の温度と室外の温度との差、および、室外の清浄度と所定の清浄度との差を計算してもよい。情報処理モジュール１３２は、処理結果を主処理装置に提供してもよい。調節される空間内のCO2濃度が人体の快適な濃度範囲外となると、室内における汚れた空気を排出して、室外から新鮮な空気を導入する必要がある。
【００６６】
そのとき、操作５８にて、空調機は、自身の運転に応じて、フレッシュエアー装置の運転状態を調節する。操作５５にて、室内と室外の温度差が所定の閾値の範囲内にあると判断された場合に、空調機は、操作５６にて、フレッシュエアー装置からの室内へのフレッシュエアーの導入を許容し、かつ、実際の状況に応じて、フレッシュエアーを導入する風量を調節することができる。操作５５にて、室内と室外の温度差が所定の閾値の範囲外となると判断された場合に、空調機は、操作５７にて、フレッシュエアー装置からのフレッシュエアーの導入を禁止して、室内の温度による快適さの低下を防止する。しかし、そのとき、フレッシュエアー装置は、内部巡回モードを用いて、室内の空気を浄化して、空気清浄度を調節することができる。それにより、温度の要求も清浄度の要求も満足することができ、省エネルギーを可能にする。あるいは、操作５８にて、室外の空気清浄度（例えば、ＰＭ２．５濃度値）が所定の閾値の範囲内にあると判断された場合に、空調機は、操作５９にて、フレッシュエアー装置からの室内へのフレッシュエアーの導入を許容するが、室外の空気清浄度（例えば、ＰＭ２．５濃度値）が所定の閾値の範囲外となると判断された場合に、空調機は、操作６０にて、フレッシュエアー装置からのフレッシュエアーの導入を禁止するが、しかし、そのとき、フレッシュエアー装置は、内部巡回モードを用いて、室内の空気を浄化して、空気清浄度を調節することができる。室内と室外の温度差または室外の空気清浄度パラメータに基づき、フレッシュエアーを導入する必要があるか否かを判断し、空気温度、清浄度の要求を満足しつつ、室内と室外の温度差が大きすぎる場合のフレッシュエアー装置からのフレッシュエアーの導入に起因した故障又は室外の空気清浄度がよくない場合のフレッシュエアーの導入に起因したフレッシュエアー装置の寿命の低下を防止することができる。
【００６７】
同様に、制御手段１３０は、室内における汚染物の濃度が限度値に達したことを検出した場合に、フレッシュエアー装置を主処理装置に、空調機を補助処理装置に切り替え、フレッシュエアー装置の運転モードを排風モードまたは換気モードに切り替える。フレッシュエアー装置の運転モードが換気モードである場合に、空調機は、導入したフレッシュエアーの風量に基づき、温度調節量を調節することができる。
【００６８】
空調機が主処理装置として設定された後、空調機の運転モードを優先にして、空調機の運行パラメータに基づき、補助処理装置の運行パラメータを調節する。空調機は、その情報送受信モジュールを介して、補助処理装置の情報送受信モジュールと通信して、補助処理装置の運行パラメータを調節するための連動信号を、補助処理装置に送信してもよい。
【００６９】
制御手段１３０は、設けられた複数の空気処理装置における分散処理手段により構成された場合に、主処理装置における分散制御手段は、実際の制御手段であり、補助処理装置における分散制御手段は動作しない。
【００７０】
空気処理装置１１０は空調機であり、空気処理装置１２０はフレッシュエアー装置、空気清浄機、換気ファンである場合に、季節に応じて、主処理装置を設けてもよい。例えば、冬と夏になると、空調機を主処理装置にして、春と秋になると、空気清浄機を主処理装置にする。空調機の運転状態は、圧縮機周波数、送風温度、風量、送風機回転数などを含んでもよい。 空気清浄機の運転状態は、モードの切り替え（例えば、フレッシュエアーモード、内部巡回モード、排風モード、……）、フレッシュエアーの導入量、排風量、送風機回転数、弁開度などを含んでもよい。それで、季節に応じた主処理装置の設定により、省エネルギーの実現に助かり、空気処理装置の使用寿命を延ばすことにも助かる。
【００７１】
別の実例では。第１種の空気処理装置が空調機であり、第２種の空気処理装置が、フレッシュエアー装置、空気清浄機、換気ファン、および、加湿器/除湿機のうちの１つである。空気品質パラメータは、相応的に、空気温度パラメータ、および、空気湿度パラメータを含む。制御手段１３０は、空気品質パラメータを処理し、処理結果から、室内の空気温度パラメータが所定の範囲外となり、室内の空気清浄度パラメータが所定の範囲内となり、かつ、室内の空気湿度パラメータが所定の範囲内となることが示された場合に、空調機が運行優先度を有するように設定される。すなわち、そのとき、空調機は主処理装置であり、フレッシュエアー装置、空気清浄機、換気ファン、又は、加湿/除湿機が補助処理装置である。他の場合の運行優先度のレベルの設定について、当業者は、実際の必要に応じて決めてもよい。ここでは省略する。
【００７２】
さらに別の実例では、第１種の空気処理装置が空調機であり、第２種の空気処理装置が、フレッシュエアー装置、換気ファンのうちの１つである。制御手段１３０は、室内の空気品質パラメータ及び室外の空気品質パラメータを処理し、処理結果から、室内と室外の温度差が所定の閾値よりも大きいことが示された場合に、空調機は、運行優先度を有するように設定され、処理結果から、室内の空気清浄度が所定の範囲外となり、かつ、室内と室外の温度差が所定の閾値よりも小さいことが示された場合に、フレッシュエアー装置と換気ファンのうちの１つは、運行優先度を有するように設定され、処理結果から、室内と室外の温度差が所定の閾値よりも大きく、かつ、室内の空気清浄度が所定の閾値の範囲外となることが示された場合に、空調機は、運行優先度を有するように設定される。
【００７３】
さらに別の実例では、空気処理装置１１０は、第１の領域に取り付けられており、空気処理装置１２０は、第２の領域に取り付けられている。制御手段１３０の情報収集モジュール１３１は、少なくとも使用者所在領域を含む使用者パラメータを収集してもよい。使用者パラメータは、処理のために、情報処理モジュール１３２に提供される。処理結果から、使用者が第１の領域にいることが示された場合、第１の領域に対応した空気処理装置１１０は、運行優先度を有するように設定されており、処理結果から、使用者が第２の領域にいることが示された場合に、第２の領域に対応した空気処理装置１２０は、運行優先度を有するように設定される。処理結果から、使用者所在領域以外の前記領域に対して空気処理を行う空気処理装置が空調機であることが示された場合に、運行優先度を有する空気処理装置は、当該空調機をオフにするように調節する。例えば、使用者が部屋Ａから部屋Ｂへ移ったことを検出された場合に、主処理装置を、部屋Ａの空気処理装置１１０から、部屋Ｂの空気処理装置１２０へ切り替える。この実例では、情報収集モジュール１３１は、人体検知センサ、ウェアラブル装置などであってもよい。
【００７４】
本実施例では、第１の領域と第２の領域は、調節される空間における相対的に独立した異なる部屋であってもよいし、調節される空間における連通した異なる領域であってもよい。使用者所在領域に応じて、運行優先度を有する空気処理装置である主処理装置を設定し、主処理装置により、各空気処理装置の運行状態が調節される。それで、使用者による快適さへの要求を満足できるように、使用者所在領域の空気品質を調節することができるだけではなく、使用者所在領域以外の空き領域における空気処理装置を調節することもできる。上述したように、使用者が部屋Ａから部屋Ｂへ移った場合に、主処理装置を、部屋Ａの空気処理装置１１０から、部屋Ｂの空気処理装置１２０へ切り替え、空気処理装置１２０は、空気処理装置１１０の運転状態を調節できるようになる。空気処理装置１１０が空調機である場合に、空気処理装置１２０は、空気処理装置１１０をオフにするように調節することができる。空気処理装置１１０が空気清浄機であり、使用者は部屋Ａにはいないが、部屋Ａの空気清浄度に対する要求がある場合に、空気処理装置１２０は、部屋Ａの空気清浄度パラメータに基づき、空気清浄機の運転モードを調節することで、使用者による部屋Ａの空気清浄度への要求を満足し、さらに、使用者による調節される空間全体の空気品質への要求を満足することができる。
【００７５】
しかも、使用者領域には、第３の領域又はさらに多くの領域が含まれてもよい。使用者所在領域および他の領域における空気処理装置の運転状態に対する調節により、使用者所在領域の空気品質への要求を満足することができるほか、調節される空間全体の空気品質を改善することもできる。
【００７６】
さらに別の実例では、情報収集モジュール１３１は、さらに、使用者生体パラメータまたは使用者活動状態を収集し、情報処理モジュール１３２は、生体パラメータ又は使用者活動状態を処理し、運行優先度を有する空気処理装置は、処理結果に基づき、自身の運転状態を調節し、同時に、処理結果に基づき、前記システムにおける残りの空気処理装置の運転状態を調節してもよい。例えば、空調機が運行優先度を有する主処理装置であり、フレッシュエアー装置が補助処理装置である場合に、情報収集モジュール１３１により、使用者の体温が正常値よりも低いことを検出されると、空調機は、排風温度を高くするとともに、フレッシュエアー装置を調節してフレッシュエアーの導入量を低減することができる。あるいは、情報収集モジュール１３１により、使用者の体温が正常値よりも高いことを検出された場合に、空調機は、排風温度を低くするとともに、フレッシュエアー装置を調節してフレッシュエアーの導入量を増加することができる。情報収集モジュール１３１により、使用者が動いている（例えば、走っている）ことを検出された場合に、空調機は、排風温度を低くするとともに、フレッシュエアー装置を調節してフレッシュエアーの導入量を増加することができる。そうすると、特定の状態での使用者による空気品質への要求を満足することができる。
【００７７】
図2は、本開示の第２の実施例に係る空気品質管理システムの構成ブロック図である。図2に示すように、本実施例における空気品質管理システム２００は、空気処理装置２１０ａ、空気処理装置２２０ａ〜２２０ｃ、および制御手段１３０を含んでもよい。前の実施例との相違点は、空気処理装置２２０が４個ある点である。空気処理装置２１０ａ、２２０ａ〜２２０ｃは、それぞれ、空気の温度、湿度、清浄度、流通を調節可能な様々な種類の装置から選ばれてもよい。例えば、空調機、フレッシュエアー装置、空気清浄機、レンジフード、換気ファン、加湿/除湿機などが考えられる。本実施例における各部品は、前の実施例とはほぼ同じであるため、ここには、それらの細部を展開しないようにした。
【００７８】
以下は、本実施例の応用実例を例示する。
空気処理装置は、第１種の空気処理装置２１０と第２種の空気処理装置２２０を含んでもよい。
【００７９】
一実施例では、第１種の空気処理装置２１０は空調機２１０ａであり、調節される空間の温度を調節するために用いられる。第２種の空気処理装置２２０は、室外の新鮮な空気を導入したり、新鮮な空気を発生したり、または、室内の汚れた空気を排出したりするための装置であり、例えば、空気清浄機２２０ａ、レンジフード２２０ｂである。
【００８０】
制御手段１３０の情報収集モジュール１３１により収集された空気品質パラメータは、室内の空気品質パラメータと室外の空気品質パラメータを含んでもよく、室内の空気品質パラメータ及び室外の空気品質パラメータはそれぞれ、空気温度信号と空気清浄度信号を含んでもよい。空気品質パラメータは、処理のために、情報処理モジュール１３２に提供される。処理結果から、室内の空気温度パラメータが所定の範囲外となり、かつ、室内の空気清浄度パラメータが所定の範囲内となることが示された場合に、空調機２１０ａは、運行優先度を有するように設定されており、処理結果から、室外の空気清浄度が所定の閾値の範囲外となり、かつ、室内の空気温度パラメータが所定の範囲内となることが示された場合に、空気清浄機２２０ａは運行優先度を有するように設定されており、処理結果から、室内の煙濃度が所定の閾値範囲の外となることが示された場合に、レンジフードが運行優先度を有するように設定されている。そうすると、調節される空間に亘る空気品質が使用者の要求を満足したことが確保される。
【００８１】
別の実施例では、第１種の空気処理装置が空調機２１０ａであり、第２種の空気処理装置が、空気清浄機２２０ａ(あるいは、フレッシュエアー装置、換気ファン）のうちの１つである。制御手段１３０は、室内の空気品質パラメータ及び室外の空気品質パラメータを処理し、処理結果から、室内と室外の温度差が所定の閾値よりも大きいことが示された場合に、空調機２１０ａは、運行優先度を有するように設定され、処理結果から、室内の空気清浄度が所定の範囲外となり、かつ、室内と室外の温度差が所定の閾値よりも小さいことが示された場合に、空気清浄機２２０ａ（又は、フレッシュエアー装置、換気ファン）のうちの１つは、運行優先度を有するように設定され、処理結果から、室内と室外の温度差が所定の閾値よりも大きく、かつ、室内の空気清浄度が所定の閾値の範囲外となることが示された場合に、空調機は、運行優先度を有するように設定される。
【００８２】
上記の運行優先度はただの例示に過ぎないことが理解できるだろう。他の実例では、第２の運行優先度を有する空気処理装置（例えば、第２の空気処理装置）を設け、第１の運行優先度を有する空気処理装置により、第２の運行優先度を有する空気処理装置の運転状態が調節され、第２の運行優先度を有する空気処理装置により、残りの空気処理装置（例えば、第3の空気処理装置）の運転状態が調節され、残りの空気処理装置が第3の運行優先度を有してもよいように設けることができる。
【００８３】
例えば、レンジフード２２０ｂを第１の運行優先度を有する空気処理装置として設定すると、空気清浄機が第２の運行優先度を有し、空調機が第3の運行優先度を有するようになる。その場合、レンジフード２２０ｂは、自身及び空調機、空気清浄機の運転状態を調節することができる。例えば、煙濃度と室内の温度の変化に応じて、（送風機の回転数、弁開度などを調節することによって）空気清浄機２２０ａからのフレッシュエアーの導入量と排風量を調節し、室内の気圧のバランスを確保し、さらに、フレッシュエアーの導入量に基づき、空調機２１０ａの温度調節量を調節することができる。空気清浄機は、煙濃度と室内の温度の変化及びフレッシュエアーの導入量に基づき、空調機の温度調節量を調節することもできる。異なるレベルの運行優先度を設定することにより、実際の状況に応じて、空気処理装置の運転状態を調節することができ、制御の精度が高くなる。
【００８４】
別の実例では、空気処理装置２１０は空調機２１０ａであり、調節される空間の温度を調節するために用いられる。空気処理装置２２０は、新鮮な空気を発生したり、または、湿度を調節したりするための装置であり、例えば、空気清浄機２２０ａ、加湿/除湿機２２０ｃである。図６に示す本開示に係る空気品質管理方法の１つの例示のように、操作６１にて、空調機２１０ａを主処理装置として設定し、空気清浄機２２０ａ、加湿/除湿機２２０ｃを補助処理装置として設定する。情報収集モジュール１３１は、操作６１〜６３のうちの少なくとも１つの操作を実行することで、室内の温度と湿度と清浄度、室外の温度と清浄度、および、各空気処理装置の運行パラメータのうちの少なくとも１つを収集してもよい。情報処理モジュール１３２は、操作６４にて、室内の温度と湿度と清浄度が、人体の快適な温度と湿度と清浄度の範囲内にあるか否かを分析し、室内の温度と室外の温度との差、および、室外の清浄度と所定の清浄度との差を計算してもよい。情報処理モジュール１３２は、処理結果を空調機２１０ａに提供してもよい。加湿/除湿機２２０ｃの所在領域の湿度が人体の快適な湿度範囲を超えた（高くなったり、低くなったりする）場合に、操作６６にて、空調機２１０ａは、加湿/除湿機２２０ｃに指令を送信し、加湿/除湿機２２０ｃは、その所在領域の湿度を調節して、湿度が人体の快適さへの要求を満足できるようにさせる。調節される空間全体の清浄度が低い場合、例えば、CO2濃度が高い場合に、操作６７にて、排風指令または送風・排風指令を空気清浄機２２０ａに送信することで、調節される空間内の清浄度を、人体の快適さへの要求を満足できるように、させる。
【００８５】
図３は、本開示の第３の実施例に係る空気品質管理システムの構成ブロック図である。図３に示すように、本実施例における空気品質管理システム３００は、空気処理装置３１０（３１０ａ、３１０ｂ）、３２０（３２０ａ、３２０ｂ）、および制御手段１３０を含んでもよい。空気処理装置３１０ａ、３１０ｂ、３２０ａ、３２０ｂは、それぞれ、空気の温度、湿度、清浄度、流通を調節可能な複数種類の装置から選ばれてもよく、空調機、フレッシュエアー装置、空気清浄機、レンジフード、換気ファン、加湿/除湿機などを含んでもよいが、これらに限られていない。添付図面には、空調機３１０ａと空気清浄機３１０ｂ、空調機３２０ａと空気清浄機３２０ｂが例示されている。本実施例における各部品は、前の実施例とはほぼ同じであるため、ここには、それらの細部を展開しないようにした。
【００８６】
一実施例では、空気処理装置は、第１種の空気処理装置３１０と第２種の空気処理装置３２０を含んでもよい。前の実施例と同様に、第１種の空気処理装置と第２種の空気処理装置の種類は、空気処理装置の機能、所在領域などによって決められてもよい。前の実施例との相違点は、２種類の空気処理装置の各々の数が複数であってもよい点である。
【００８７】
以下は、本実施例の応用実例を例示する。
一実施例では、第１種の空気処理装置３１０は、第１の領域に取り付けられており、第２種の空気処理装置３２０は、第２の領域に取り付けられている。制御手段１３０の情報収集モジュール１３１は、少なくとも使用者所在領域を含む使用者パラメータを収集してもよい。使用者パラメータは、処理のために、情報処理モジュール１３２に提供される。処理結果から、使用者が第１の領域にいることが示された場合、第１の領域における空気処理装置３１０である空調機３１０ａは、第１の運行優先度を有するように設定されており、処理結果から、使用者が第２の領域にいることが示された場合に、第２の領域における空気処理装置３２０である空調機３２０ａは、第１の運行優先度を有するように設定される。勿論、前者の場合に、空気清浄機３１０ｂは、第２の運行優先度を有するように設定され、空調機３２０ａと空気清浄機３２０ｂは、第3の運行優先度を有するように設けられてもよく、後者の場合に、逆な設定となってもよい。
【００８８】
好ましい実施例では、処理結果から、使用者所在領域以外の領域（空き領域とも呼ばれる）に対して空気処理を行う空気処理装置が空気清浄機であることが示された場合に、情報収集モジュール１３１は、当該空き領域の空気品質パラメータを収集し、情報処理モジュール１３２は、当該空き領域の空気清浄度パラメータを処理し、空き領域に対する空気清浄度パラメータが所定の範囲内となる場合、運行優先度を有する空気処理装置は、当該空気清浄機をオフにするように調節し、空き領域に対する空気清浄度パラメータが所定の範囲外となる場合、運行優先度を有する空気処理装置は、当該空気清浄機をオンにするように調節する。
【００８９】
本実施例では、第１の領域と第２の領域は、調節される空間における相対的に独立した異なる部屋であってもよいし、調節される空間における連通した異なる領域であってもよい。使用者所在領域に応じて、運行優先度を有する空気処理装置である主処理装置を設定し、主処理装置により、各空気処理装置の運行状態が調節される。それにより、調節される空間全体の空気品質が改善される。それで、使用者による快適さへの要求を満足できるように、使用者所在領域の空気品質を調節することができるだけではなく、使用者による調節される空間全体の空気品質への要求を満足できるように、空き領域における空気処理装置を調節することもできる。
【００９０】
図7は、本開示の一実施例に係る信号のインタラクティブ実施環境である。図7に示すように、１つの空気処理装置の連動方案では、リモコン７３０、空気処理装置７１０、および、空気処理装置７２０に関係する。リモコン７３０は、空気処理装置７１０専用のリモコンであってもよいし、複数種類の空気処理装置を制御可能な汎用リモコンであってもよい。ここで、上記の実施例に従い、空気処理装置７１０が運行優先度を有するように設定され、すなわち、主処理装置として設定されると仮定する。空気処理装置７１０は、リモコン信号を送信して、空気処理装置７２０を制御することができ、空気処理装置７２０は、フィードバック信号を空気処理装置７１０に返送することもできる。勿論、空気処理装置７２０は、運行優先度を有するように設定され、すなわち、主処理装置として設定されてもよい。そのとき、空気処理装置７１０と空気処理装置７２０の役割や配置が交換される。好ましくは、リモコン７３０は、赤外線信号を用いて空気処理装置７１０を制御する。空気処理装置７１０と空気処理装置７２０の間にも、赤外線信号によってインタラクティブ化される。そのような信号の種類について、ハードウェアのアップデートを行う必要がなく、従来の空気処理装置のハードウェア配置が用いられてもよい。そのため、リモコン７３０は、赤外線信号を送信するための送信回路を含んでもよい。空気処理装置７１０は、赤外線信号を送信する送信回路と、赤外線信号を受信する受信回路を含む。空気処理装置７２０も、赤外線信号を送信する送信回路と、赤外線信号を受信する受信回路を含む。
【００９１】
リモコン７３０、空気処理装置７１０および空気処理装置７２０は、他の種類の信号キャリア、例えば、RF信号を用いて、命令を伝送してもよい、ことが理解できるだろう。その代表的なものとして、２．４ＧＨｚ  ＵＨＦ又は５Ｇ  ＳＨＦ  ＩＳＭのＲＦ信号が挙げられる。
【００９２】
空気処理装置７１０は、コントローラを含んでもよく、または、コントローラに接続されてもよい。空気処理装置７１０は、リモコン７３０からの命令を受信すると、制御プロセスを実行するようになっている。制御プロセスによると、空気処理装置７１０は、連動信号を空気処理装置７２０に提供する必要となる可能性がある。コントローラは、図１に示す制御手段であってもよい。
【００９３】
空気処理装置７２０の内部には、コントローラが含まれてもよい。空気処理装置７２０は、連動信号を受信すると、制御プロセスを実行するようになっている。制御プロセスによると、空気処理装置７２０は、フィードバック信号を空気処理装置７１０に返送する必要となる可能性がある。
【００９４】
図８は、本開示の一実施例に係る１つの空気処理装置のインタラクティブ過程の例示である。図８に示すように、ステップＳ８１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、ステップＳ８２において、連動信号を空気処理装置７２０に送信する。ステップＳ８３において、空気処理装置７２０は、連動信号を受信した旨のフィードバック信号を空気処理装置７１０に返送する。相応に、空気処理装置７１０は、必要に応じて、ステップＳ８４において、連動信号を空気処理装置７２０に継続して送信する。……そのように繰り返して、期間ｔ１を経過した後、空気処理装置７１０と空気処理装置７２０との連動が完了する。それで、第２の段階に進む。ステップＳ８５において、リモコン７３０は、リモコン信号を空気処理装置７１０に送信し、空気処理装置７１０は、リモコン７３０からのリモコン信号に含まれた命令に応答して、動作する。ステップＳ８６において、リモコン７３０は、別のリモコン信号を空気処理装置７１０に送信し、空気処理装置７１０は、リモコン７３０からの別のリモコン信号に含まれた命令に応答して、動作する。
【００９５】
図8に示すインタラクティブ過程が好適な場合として考えられるが、実際の応用場面では、使用者は、期間ｔ１内において、空気処理装置７１０からの応答を感じていないので、空気処理装置７１０がリモコン信号をまだ受信していないかと考えるようになり、再操作してしまう可能性がある。あるいは、別の使用者は、その間において、例えば、もう１つのリモコンを操作して、空気処理装置７１０を制御している可能性もある。
【００９６】
図９は、本開示の一実施例に係る別の空気処理装置のインタラクティブ過程の例示である。図９に示すように、ステップＳ９１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、ステップＳ９２において、連動信号を空気処理装置７２０に送信する。ステップＳ９３において、リモコン７３０は、使用者による再操作で、リモコン信号を再送信する。ステップＳ９４において、空気処理装置７２０は、連動信号を受信した旨のフィードバック信号を空気処理装置７１０に返送する。そうすると、空気処理装置７１０は、リモコン７３０及び空気処理装置７２０からの信号を受信するようになっている。その場合、空気処理装置７１０はどのように応答すればよいかが課題となっている。
【００９７】
空気処理装置７１０は、リモコン７３０及び空気処理装置７２０からの信号を受信した場合であっても、当初の所定のプロセスに従うようにさせるために、本開示の実施例では、空気処理装置７１０の内部には、信号の送受信及び信号の衝突を処理するための第１の情報送受信モジュール７１１が設けられている。
【００９８】
図10は、本開示の一実施例に係る情報送受信モジュールの構成図である。図10に示すように、情報送受信モジュール７１１は、空気処理装置７１０または720内に配置されてもよく、リモコン信号を送受信することができる。情報送受信モジュール７１１は、空気処理装置のコントローラ7１２に接続されて、コントローラ7１２からキャリアを受信したり、信号を送信したりすることができ、また、受信した信号をコントローラ7１２に返送することもできる。情報送受信モジュール７１１は、送信回路１０１、受信回路１０２、送信管１０４および、受信管１０５を含んでもよい。送信回路１０１は、送信管１０４に接続されている。受信回路１０２は、受信管１０５に接続されている。空気処理装置７１０について、送信回路１０１は、空気処理装置７１０から空気処理装置７２０への連動信号を送信するように配置されている。空気処理装置７２０について、送信回路１０１は、空気処理装置７２０から空気処理装置７１０へのフィードバック信号を送信することができる。受信回路１０２は、外部信号を受信するために用いられる。受信回路１０２は、信号識別回路１０３を含む。空気処理装置７１０について、信号識別回路１０３は、外部信号が空気処理装置７２０からの連動信号に対するフィードバック信号であるか否かを識別するために用いられてもよい。
【００９９】
図１０に示す実施例では、信号識別回路１０３は、外部信号と連動信号とを照合し、外部信号が連動信号にマッチングした場合に、外部信号がフィードバック信号であると判定し、マッチングしなかった場合には、外部信号がフィードバック信号ではないと判定してもよい。信号識別回路１０３は、送信回路１０１に接続されて、連動信号を受信してもよい。外部信号と連動信号とを照合するときに、信号識別回路１０３は、波形の照合を行うことができる。例を挙げると、外部信号と連動信号は、空気処理装置７１０の識別コードを代表することができる同じ信号ヘッドを有してもよい。信号識別回路１０３は、外部信号と連動信号とを照合したところ、外部信号と連動信号が同じ信号ヘッドを有することが明らかになった場合に、外部信号が、空気処理装置７２０からの連動信号に対するフィードバック信号であると認識している。
【０１００】
信号識別回路１０３は、コントローラ7１２に接続されて、識別結果を出力する。外部信号がフィードバック信号ではない場合に、コントローラ7１２は、空気処理装置７２０が連動信号を受信していないと判定して、送信回路１０１に対して連動信号の再送信を指示するが、外部信号がフィードバック信号である場合に、コントローラ7１２は、空気処理装置７２０が連動信号をすでに受信したと判定して、送信回路１０１に対して別の連動信号の送信を指示する。
【０１０１】
本開示の実施例では、送信回路１０１による隣接した２回の連動信号の送信時間の間には、待ち時間があるため、空気処理装置７２０に対して十分な応答時間を与える。
上述したように、リモコン７３０、空気処理装置７１０、および、空気処理装置７２０の間に伝送される信号、例えば、リモコン信号、連動信号、および、フィードバック信号はそれぞれ、赤外線信号である。
【０１０２】
本実施例では、送信回路１０１は、例えば、送信管１０４の送信デバイスによって、連動信号を送信し、受信回路１０２は、例えば、受信管１０５の受信デバイスによって、外部信号を受信する。
【０１０３】
送信回路１０１とコントローラ7１２の間には、単線インタフェースが用いられてもよい。受信回路１０２とコントローラ7１２の間にも、単線インタフェースが用いられてもよい。
【０１０４】
図１１は、本開示の一実施例に係る情報送受信モジュールの構成図である。図１１に示すように、本実施例と前の実施例との主な相違点は、信号識別回路１０３に入力されたのは、送信回路１０１からの連動信号ではなく、所定の信号であるという点である。信号識別回路１０３は、外部信号と所定の信号とを照合し、外部信号が所定の信号にマッチングした場合に、外部信号がフィードバック信号であると判定し、マッチングしなかった場合には、外部信号がフィードバック信号ではないと判定する。所定の信号はコントローラ7１２からのものであってもよく、他のデバイスからのものであってもよい。
【０１０５】
空気処理装置７１０のコントローラ7１２について、通常は、制御プロセスを実行する過程において、連動信号を情報送受信モジュール７１１に提供する。
【０１０６】
図１２は、本開示の一実施例に係るさらに別の空気処理装置のインタラクティブ過程の例示である。図１２に示すように、ステップＳ１２１において、リモコン７３０は、リモコン信号を空気処理装置７１０（運行優先度を有するる主処理装置）に送信する。空気処理装置７１０は、空気処理装置７２０（補助処理装置）との連動が必要となることを認識している場合に、上記制御プロセスを実行して、ステップＳ１２２において、連動信号を空気処理装置７２０に送信する。しかし、ステップＳ１２３において、リモコン７３０は、使用者による再操作で、リモコン信号を再送信する。その場合に、空気処理装置７１０の情報送受信モジュール７１１は、信号を識別し、外部から受信したリモコン信号が連動信号にマッチングしていないことを認識している場合に、ステップＳ１２４において、連動信号を再送信する。一方では、ステップＳ１２５において、空気処理装置７２０は、連動信号を受信した旨のフィードバック信号を空気処理装置７１０に返送する。その場合に、空気処理装置７１０の情報送受信モジュール７１１は、信号を識別し、外部から受信したフィードバック信号が連動信号にマッチングしていることを認識している場合に、ステップＳ１２６において、別の連動信号を空気処理装置７２０に送信する。そのように繰り返して、期間ｔ１を経過した後、空気処理装置７１０と空気処理装置７２０との連動が完了する。それで、第２の段階に進む。ステップＳ１２７において、リモコン７３０は、リモコン信号を空気処理装置７１０に送信し、空気処理装置７１０は、リモコン７３０からのリモコン信号に含まれた命令に応答して、動作する。ステップＳ１２８において、リモコン７３０は、別のリモコン信号を空気処理装置７１０に送信し、空気処理装置７１０は、リモコン７３０からの別のリモコン信号に含まれた命令に応答して、動作する。
【０１０７】
そのため、情報送受信モジュールによる信号識別及び衝突検出によって、第１種の空気処理装置７１０は、予定通りの制御プロセスに従って作動することができ、処理できない場合を回避した。
【０１０８】
以下は、本開示を図１に示す空気品質管理システムに応用した場面を例として挙げることにした。ここで、空気処理装置１１０が空調機であり、空気処理装置１２０が空気清浄機である場合を例にする。リモコンによる制御で空調機が起動される場合において、空調機が起動の準備状態となるが、しかし、室内の空気がよくないことを検出されたので、空調機は、連動信号を空気清浄機に送信し、空気清浄機による空気浄化を要求して、空気浄化後、空調機は、さらに、設定されたモードで起動して運転する。その場合、空調機は、リモコンからのリモコン信号を再び受信すると、リモコンからのリモコン信号と空気清浄機に送信した連動信号とがマッチングしていないことを検出するようになり、空調機システムは、リモコン信号で示された動作を実行せずに、連動信号を空気清浄機に再送信することとなっている。空調機システムは、空気清浄機からフィードバックされたフィードバック信号を受信すると、そのフィードバック信号と空気清浄機に送信した連動信号とがマッチングしていることを検出するようになり、空調機は、プロセスを継続して実行し、必要に応じて、別の連動信号を空気清浄機に送信することとなっている。期間ｔ１を経過した後、空気清浄機から空調機システムへフォードバックされて、空気の浄化が完成し、空調機は、さらに、設定されたモードで起動して運転する。
【０１０９】
そのため、本実施例における空気処理装置の情報送受信モジュールは、信号識別により、衝突検出を完成することができ、それにより、空気処理装置が所定のプロセスに従って運転することが確保される。
【０１１０】
本開示は、現在の具体的な実施例に従って記載されてきたが、当業者にとって、以上の実施例が本開示を説明するためのものに過ぎず、本開示の趣旨を逸脱しない範囲で種々の等価の変更または代替を行うことができるのを認識しているはずである。従って、本開示の実質上の精神範囲内において、上記実施例を変更、変形したものがいずれも、本願の特許請求の範囲内に入っている。
【０１１１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１１２】
１００          空気品質管理システム
１０１          送信回路
１０２          受信回路
１０３          信号識別回路
１１０          空気処理装置
１１１          情報送受信モジュール
１２０          空気処理装置
１２１          情報送受信モジュール
１３０          制御手段
１３１          情報収集モジュール
１３２          情報処理モジュール
２００          空気品質管理システム
２１０          空気処理装置
２１０ａ        空調機（空気処理装置）
２２０ａ        空気清浄機（空気処理装置）
２２０ｃ        除湿機（空気処理装置）
３００          空気品質管理システム
３１０          空気処理装置
３１０ａ        空調機（空気処理装置）
３１０ｂ        空気清浄機（空気処理装置）
３２０          空気処置装置
３２０ａ        空調機（空気処理装置）
３２０ｂ        空気清浄機（空気処理装置）
７１０          空気処理装置
７１１          情報送受信モジュール
７１２          コントローラ（制御手段）
７２０          空気処理装置
７３０          リモコン（制御手段）
【先行技術文献】
【特許文献】
【０１１３】
【特許文献１】特開２００５−１２１３１６号公報
【国際調査報告】
2019131775.tif 000015
2019131775.tif 000016
2019131775.tif 000017
2019131775.tif 000018